(57)【要約】  ダイナミックな光学レンズを備える装置又は機構が、提供される。第１機構は、第１表面及び第２表面を有する第１レンズ部品を含む。第１機構は、第２レンズ部品を更に含む。第２レンズ部品は、可撓性要素を備える。第１機構も、少なくとも一部の第１レンズ部品と少なくとも一部の第２レンズ部品との間に用いられることができる流体を含む。第２レンズ部品の可撓性要素が、第１レンズ部品の第１表面及び第２レンズ部品との間の流体の量が、十分に少ないとき、該第２レンズ部品の可撓性要素が第１レンズ部品の第１表面に適合するようになっている。また、第２レンズ部品の可撓性要素は、第１レンズ部品第１表面の及び第２レンズ部品との間の流体の量が十分に多いとき、該第２レンズ部品の可撓性要素が第１レンズ部品の第１表面に適合しないようになっている。
2013522696.tif 000002
【特許請求の範囲】
【請求項１】
第１表面及び第２表面を有する第１レンズ部品と、  
可撓性要素を備える第２レンズ部品と、
流体と、
を備える機構であって、
前記流体は、少なくとも一部の前記第１レンズ部品と少なくとも一部の前記第２レンズ部品との間に適用されることができ、
前記第２レンズ部品の前記可撓性要素は、第１領域を備え、
前記第１レンズ部品の前記第１表面と前記第１領域との間の流体の量が十分に少ないときに、前記第１領域が前記第１レンズ部品の前記第１表面に適合し、
前記第１レンズ部品の前記第１表面と前記第１領域との間の流体の量が十分に多いときに、前記第１領域は前記第１レンズ部品の前記第１表面に適合しない機構。
【請求項２】
前記第１レンズ部品の前記第１表面が、第１光学特徴物をさらに含む、請求項１に記載の機構。
【請求項３】
前記第１光学特徴物と前記第１領域との間の流体の量が十分に少ないときに、前記第１領域が前記第１光学特徴物に適合し、前記第１光学特徴物と前記第１領域との間の流体の量が十分に多いときに、前記第１領域は前記第１光学特徴物に適合しない、請求項２に記載の機構。
【請求項４】
第１ダイナミックな光学的度数領域を更に備え、
前記第１光学特徴物と前記第１領域との間の前記流体の量が十分に多いときに、前記第１光学特徴物が前記第１ダイナミックな光学的度数領域に貢献しないように、前記流体は、前記第１レンズ部品の屈折率と実質的に類似する屈折率を有する、請求項２に記載の機構。
【請求項５】
前記第１レンズ部品の前記第１表面が第１光学的度数ストップを定める、請求項１に記載の機構。  
【請求項６】
前記第１光学的度数ストップが近見視力の光学的度数を定める、請求項５に記載の機構。
【請求項７】
前記第１光学特徴物と前記第１領域との間の前記流体が十分に少ないときに、前記第１ダイナミックな光学的度数領域が前記第１光学特徴物により定義される、請求項５に記載の機構。
【請求項８】
前記第１光学特徴物と前記第１領域との間の前記流体の量が十分に少ないように、前記第１ダイナミックな光学的度数領域が調整可能であり、
前記ダイナミックな光学的度数領域は、前記第１光学的度数ストップにより定義され、
前記第１光学特徴物と前記第１領域との間の流体の量が増加するにつれて、前記ダイナミックな光学的度数領域は、前記第１光学的度数ストップから引き離す、請求項５に記載の機構。
【請求項９】
前記第１レンズ部品と前記第１領域との間の流体の体積の減少が前記ダイナミックな光学的度数領域の陽の光学的度数を増加させる、請求項１に記載の機構。
【請求項１０】
前記第１レンズ部品と前記第１領域との間の流体の体積の減少が、前記ダイナミックな光学的度数領域の陽の光学的度数を減少させる、請求項１に記載の機構。
【請求項１１】
少なくとも一部の前記第２レンズ部品の形状が、前記第１レンズ部品と前記第２レンズ部品のとの間の流体の量に基づいて調節可能である、請求項１に記載の機構。
【請求項１２】
前記第２レンズ部品が可撓性膜を備える、請求項１１に記載の機構。
【請求項１３】
少なくとも一部の前記第２レンズ部品が伸縮可能である、請求項１に記載の機構。
【請求項１４】
前記第１レンズ部品は、第１屈折率を有し、
前記第２レンズ部品は、第２屈折率を有し、
前記流体は、第３屈折率を有する、請求項１に記載の機構。
【請求項１５】
前記第１屈折率が前記第２屈折率と実質的に同じである、請求項１４に記載の機構。
【請求項１６】
前記第１屈折率が第３屈折率と実質的に同様である、請求項１４に記載の機構。
【請求項１７】
前記第１屈折率、前記第２屈折率及び前記第３屈折率は、実質的に同じことである、請求項１４に記載の機構。
【請求項１８】
前記光学特徴物が、漸進的光学的度数領域、二焦点レンズ、三焦点レンズ、多焦点領域、非球面の光学特徴物、非球面の領域、回転対称の光学特徴物、及び回転非対称の光学特徴物のうちの何れか一つ、又は幾つかの組み合わせを備える、請求項２に記載の機構。
【請求項１９】
第１表面及び第２表面を有する第３レンズ部品を更に備え、  
前記第１レンズ部品の前記第１表面と前記第３レンズ部品の前記第１表面との間に隙間が存在するように、前記第１レンズ部品及び前記第３レンズ部品が配置されており、
前記流体の量が実質的に少なくとも一部の前記第１レンズ部品と少なくとも一部の前記第３レンズ部品との間の隙間を充填するとき、少なくとも一部の前記第２レンズ部品は、前記第３レンズ部品の少なくとも一部の前記第１表面に適合する、請求項１に記載の機構。
【請求項２０】
前記第３レンズ部品の前記第１表面が、第２光学的度数ストップを定める、請求項１９に記載の機構。
【請求項２１】
前記第２光学的度数ストップが遠見視力の光学的度数のためにある、請求項２０に記載の機構。
【発明の詳細な説明】
【技術分野】
【０００１】
（関連出願の相互参照）
本願は、米国特許法35U.S.C.119の下で、２０１０年３月２４日に出願された特許文献１、２０１０年４月２２日に出願された特許文献２、２０１０年７月２２日に出願された特許文献３、及び２０１０年９月１５日に出願された特許文献４の利益を主張する。これらの出願の各々の全ての開示は、すべて目的のために、且つそれらの全部において、本願明細書に組み込まれる。本願は、また特許文献５に基づく優先権を主張し、特許文献５の明細書全体の開示はすべての目的のために参照によって、本明細書の全体に組み込まれる。
【背景技術】
【０００２】
レンズの光学特性を調整するか又は変えるために（通常膜内にある、又は膜と接触する）流体を利用する光デバイスは、公知である。これらの装置は一般的に流体の体積又は圧力を変え、その膜が該膜の湾曲を変えることを可能にする。その結果、そのインタフェースでより大きいかより小さい屈折力（refractive power）を有する光インタフェースを形成する。これらの装置において、流体の体積の増加は陽（プラスの）光学力（optical power）の増加に寄与する。そして、流体の体積の減少は、陽（プラス）の光学的度数の増加の減少及び／又はマイナス（負）の光学的度数の増加に寄与する。
【先行技術文献】
【特許文献】
【０００３】
【特許文献１】米国仮特許出願第６１／３１７、１００号
【特許文献２】米国仮特許出願第６１／３２６，７０３号
【特許文献３】米国仮特許出願第６１／３６６，７４６号
【特許文献４】米国仮特許出願第６１／３８２，９６３号
【特許文献５】米国特許出願第１１／０５０，９７４号
【発明の概要】
【発明が解決しようとする課題】
【０００４】
しかしながら、このような流体レンズには、特に日々のアプリケーションに用いられるような眼鏡、コンタクトレンズ、眼鏡又は他の眼の装置に対して、度々、それらを理想のものより少なくするという欠点がある。たとえば、このような流体レンズは一般的に効果的に光学的度数を充分な光学領域の以上の所望のレベルまでに増加させるために大量の流体を必要とする。そのため、眼科用機器、及び他の光学的用途において、このようなレンズを含むことが困難になる。また、部分的には、必要とされ得る大量の流体のため、流体のこの体積の位置がずれなければならないので、流体レンズの焦点を光学的度数の所望の量に変えるのに比較的長い時間かかることができる。
【０００５】
加えて、一般的に、このような流体レンズは多種の多様なレンズ又は着用者又はユーザーの光学処方のための乱視の矯正のためにカスタマイズされる限度（limited ability）を有し、更に、製造業に必要な端に及び／又は適切な高さの限度を提供する。加えて、これらの流体レンズは、確立した卸売り研究室のために、それらの現在の装備を使用しているレンズを着用者の視覚のニーズ又は必要のための正しい処方、形状、サイズ及び配列のレンズに処理する限度を提供する。
【０００６】
さらに、上記のように光学的度数の調整は、膜の形状の変化によって、典型的に成し遂げられが、それは、制御及び維持するのが困難である。そして、（例えば、放物線状の又はシリンダー形状を形成するときに）場合によっては要求される精度のレベルを成し遂げることは、極めて困難である。これらの流体レンズの多数は、着用者のための必要な光学的度数に繰り返して切り替わることを保証する安全装置を実際に備えていない。すなわち、流体レンズは、しばしば必要な光学的度数を超えるか、又は光学的度数に至らないことがある。明快さのために着用者が、流体レンズを通して見ることで簡単にこの光学的度数を決定することになると、着用者は必要とされる光学的度数より高い又は低い光学的度数をより好み、時間と共に着用者の眼を弱める場合もある。
【課題を解決するための手段】
【０００７】
ダイナミックな光学レンズを備える装置又は装置を提供する。第１機構は、第１表面及び第２表面を有する第１レンズ部品を含む。第１機構は、可撓性要素を備える第２レンズ部品を更に含む。第１機構も、少なくとも一部の第１レンズ部品と少なくとも一部の第２レンズ部品との間に適用され得る流体を含む。第２レンズ部品の可撓性要素には、第１領域を備える。第１領域は、第１レンズ部品の第１表面と第１領域との間の流体の量が十分に少ないときに、該第１領域が第１レンズ部品の第１表面に適合するようなものである。第１レンズ部品の第１表面及び第２レンズ部品との間の流体の量が十分に多いときに、該第１領域は第１レンズ部品の第１表面に適合しない。
【０００８】
幾つかの実施形態では、上記の第１機構で、可撓性要素は、第２領域を備える。可撓性要素の第１領域と第１表面との間の流体が十分に少ないときに、第２レンズの可撓性要素の第１領域の構成要素は、第１レンズ部品の第１表面に適合できる。また、第２領域と第１表面との間の流体が十分に多いとき、可撓性要素の第２領域が第１レンズ部品の第１表面に適合しない。幾つかの実施形態では、第１機構は、第１及び第２レンズ部品との間に位置しない流体を含むことができる 貯蔵部（reservoir）を含む。幾つかの実施形態では、流体は、第１及び第２レンズ部品との間にアクチュエータにより塗布されることができる。
【０００９】
幾つかの実施形態では、上記の第１機構で、第１表面は、第１光学特徴物を備える。好ましくは、第１光学特徴物と可撓性要素との間の流体の量が十分に少ないときに、第１機構の可撓性要素の第１領域は第１光学特徴物に適合する。好ましくは、第１光学特徴物と可撓性要素の第１領域との間の流体の量が十分に多いときに、第１機構の可撓性要素の第１領域は第１光学特徴物に適合しない。幾つかの実施形態において、その光学特徴物は、漸進性の光学的度数領域、二焦点レンズ、三焦点レンズ、多焦点領域、非球面の光学特徴物、非球面の領域、回転対称の光学特徴物（rotationally symmetric optical feature）、及び非回転対称の光学特徴物（non-rotationally symmetric optical feature）の何れか一つ又は幾つかの組み合わせを備えることができる。
【００１０】
幾つかの実施形態では、上記の通りの第１機構は、第１ダイナミックな光学的度数領域を更に含む。第１レンズ部品の第１表面が光学特徴物を含み、第１機構が第１ダイナミックな光学的度数領域を含む幾つかの実施形態において、流体は、第１レンズ部品の屈折率と実質的に類似している屈折率を有することができる。好ましくは、第１光学特徴物と可撓性要素の第１領域との間の流体の量が十分に多いときに、第１光学特徴物が第１ダイナミックな光学的度数領域に貢献しないような流体の屈折率である。
【００１１】
幾つかの実施形態では、上記の通りの第１機構の第１レンズ部品の第１表面は、第１光学的度数ストップ（first optical power stop）を定める。好ましくは、第１光学的度数ストップは、近見視力（near vision）の光学的度数（optical power）を定める。好ましくは、第１レンズ部品が第１光学特徴物を備える実施形態で、可撓性要素の第１光学特徴物と第１領域との間の流体が十分に少ないときに、第１ダイナミックな光学的度数領域は第１光学特徴物により定義される。
【００１２】
上記の第１機構が第１ダイナミックな光学的度数領域を含む幾つかの実施形態では、第１ダイナミックな光学的度数領域は調整可能である。好ましくは、可撓性要素の第１光学特徴物と第１領域との間の流体の量は、十分に少ないとき、ダイナミックな光学的度数領域は、第１光学的度数ストップ（first optical power stop）により定義される。第１光学特徴物と可撓性要素の第１領域との間の流体の量が増加するにつれて、ダイナミックな光学的度数領域は第１光学的度数ストップから離れるように調整される。
【００１３】
上記の第１機構が第１ダイナミックな光学度数領域を含む幾つかの実施形態において、第１レンズ部品と第２レンズ部品の可撓性要素の第１領域との間の流体の体積の減少は、ダイナミックな光学的度数領域の陽の光学的度数を増加させる。幾つかの実施形態では、第１レンズ部品と第２レンズ部品の可撓性要素の第１領域との間の流体の体積の減少は、ダイナミックな光学的度数領域の陽の光学的度数を減少させる。
【００１４】
幾つかの実施形態では、上記の通りの第１機構で、少なくとも一部の第２レンズ部品の形状は、第１レンズ部品と第２レンズ部品との間の流体の量に基づいて、調節可能である。好ましくは、第２レンズ部品は、可撓性膜を備える。好ましくは、可撓性膜は、二軸配向された二軸延伸ポリエチレンテレフタラート（polyethelene terephthalate）（商品名マイラーで入手可能）又はウレタンを備える。幾つかの実施形態では、上記の通りの第１機構で、少なくとも一部の第２レンズ部品は、伸縮可能である。幾つかの実施形態では、第２レンズ部品又はその領域は、半透明である。幾つかの実施形態では、第２レンズ部品又はその領域は、透明である。好ましくは、第２レンズ部品又はその領域は、表面に入射する光波の少なくとも８５％を伝搬する。好ましくは、第２レンズ部品又はその領域は、表面に入射する光波の少なくとも９０％を伝搬する。
【００１５】
幾つかの実施形態では、上記の通りの第１機構において、第１レンズ部品は第１屈折率を有し、第２レンズ部品は第２屈折率を有し、流体は第３屈折率を有する。幾つかの実施形態では、第１屈折率は、第２屈折率と実質的に同様である。幾つかの実施形態では、第１屈折率は、第３屈折率と実質的に同様である。幾つかの実施形態では、第１、第２及び第３屈折率は、実質的に同じことである。
【００１６】
幾つかの実施形態では、上記の通りの第１機構は、第１表面及び第２表面を有する第３レンズ部品を含む。好ましくは、隙間が第１レンズ部品の第１表面と第３レンズ部品の第１表面との間に存在するように、第１レンズ部品及び第３レンズ部品は配置される。好ましくは、流体の量が実質的に少なくとも一部の第１レンズ部品と少なくとも一部の第３レンズ部品との間の隙間を充填するときに、少なくとも一部の第２レンズ部品は第３レンズ部品の少なくとも一部の第１表面に適合する。幾つかの実施形態では、第３レンズ部品の第１表面は、第２光学的度数ストップを定める。幾つかの実施形態では、第２光学的度数ストップは、遠視視力の光学的度数（a distance vision optical power）のためにある。
【００１７】
本願明細書において記載されている実施形態は、上記の欠点の一部若しくは全部を解決する流体を備えるダイナミックなレンズを考慮に入れる。実施形態は、第１及び第２レンズ部品との間に（例えば塗布）加えられることが可能であるか、又は除去できる流体が用いられ得る。第１レンズ部品は、光学的度数を定める外側の湾曲を有する第１表面を備えることができる。光学的度数は、正の値、負の値及びゼロを含むいかなる値を有することができる。第２レンズ部品は、可撓性要素（例えば膜）を備えることができる。可撓性要素は、少なくとも第１領域を有しており、第１表面と可撓性要素の該第１領域との間の流体が十分に少ないときに、少なくとも第１領域が第１レンズ部品の外側の湾曲部（outer curvature）に適合する。
【００１８】
流体が第１レンズ部品及び可撓性要素の第１領域との間から実質的に除去されるときに、可撓性要素の第１領域は第１レンズ部品の外側の湾曲（湾曲部と接触して及び／又は適合する。それがおきるとき、ダイナミックなレンズ（又はその領域）の光学的度数は、第１レンズ部品の外面の湾曲により定義されることができる。すなわち、それがダイナミックな光学的度数領域に物質的に貢献しないという点でいかなる残留流体は意味がなく、そして、可撓性要素の第１領域は、第１レンズ部品の外側の湾曲と同じ湾曲を有するために実質的に適合される。流体の量が第１及び第２レンズ部品の間の隙間において、十分に多いようにインデックスがマッチした流体が用いられることもでき、第１表面の光学特徴物がレンズの光学的度数に貢献しない。
【００１９】
従って、流体を備えると共に、実施形態は、陽（プラスの）光学的度数を加えて及び／又は近視のために必要とされる光学的度数を定めるために、レンズの流体の体積の増加よりはむしろ、（一つの光学特徴物又は複数の光学特徴物を含むことができるか又は含むことができない）第１レンズ部品の外側の湾曲を利用できる。さらに、この外側の湾曲は、ダイナミックなレンズの陽（プラスの）光学的度数のダイナミックな増加を示す湾曲テンプレート（curvature template）として提供できる。
【図面の簡単な説明】
【００２０】
【図１】ダイナミックなレンズの例示的実施形態の側面図を示す。
【図２】ダイナミックなレンズの例示的実施形態の側面図を示す。
【図３】ダイナミックなレンズの例示的実施形態の側面図を示す。
【図４】ダイナミックなレンズの例示的実施形態の側面図を示す。
【図５】ダイナミックなレンズの例示的実施形態の正面図を示す。
【図６】ダイナミックなレンズの例示的実施形態の正面図を示す。
【図７】ダイナミックなレンズの例示的実施形態の正面図を示す。
【図８】ダイナミックなレンズの例示的実施態様の横断面を示す。
【図９】ダイナミックなレンズの例示的実施形態の正面図を示す。
【図１０】ダイナミックなレンズの例示的実施形態の正面図を示す。
【図１１】ダイナミックなレンズの複数の例示的実施形態を示す。
【図１２】ダイナミックなレンズの例示的実施形態の正面図の線図を示す。
【図１３】ダイナミックなレンズの例示的実施形態の側面図を示す。
【図１４】ダイナミックなレンズの例示的実施形態の側面図を示す。
【図１５（ａ）】ダイナミックなレンズの例示的実施形態の側面図を示す。
【図１５（ｂ）】ダイナミックなレンズの例示的実施形態の側面図を示す。
【図１６】ダイナミックなレンズの例示的実施形態の側面図を示す。
【図１７】ダイナミックなレンズの例示的実施形態の側面図を示す。
【図１８】ダイナミックなレンズの例示的実施形態の側面図を示す。
【図１９】ダイナミックなレンズの例示的実施形態の側面図を示す。
【図２０】ダイナミックなレンズの例示的実施形態の側面図を示す。
【図２１】ダイナミックなレンズの例示的実施形態の側面図を示す。
【発明を実施するための形態】
【００２１】
本発明の実施形態は、ダイナミックなレンズを備える装置又は機構を提供する。本願明細書において、記載されているダイナミックなレンズの実施形態は、固定の光学部品又は剛性光学部品（rigid optical components）及び可撓性要素（例えば可撓性膜）を含む、様々な他の光学部品と組み合わせて流体を利用することができ、レンズが確実に且つ正確に複数の光学的度数を得る能力を提供する。機構の実施形態は、（例えば、単一レンズのための複数の光学的度数ができるようにして）従来のダイナミックなレンズの利点のいくらかを提供することができ、（例えば、直ちに成し遂げられるべき所望の光学的度数と、処方レンズの及び簡単な製造とを可能にする）固定レンズの利点のいくらかを提供する。
【００２２】
本願明細書において用いられる幾つかの用語を、以下詳細に説明する。
【００２３】
明細書中の「光学的度数ストップ（optical power stop）」という用語は、「ストップ」又は境界線として提供されるレンズ部品又は表面を意味する。「ストップ」又は境界線によって、所望の光学的度数が超えられない。又は最小限の光学的度数の場合、光学ストップは、光学度数光学的度数が最小限の光学的度数より下になることを防止する。すなわち、ダイナミックなレンズにおいて、光学的度数ストップは、陽（又は負の）光学的度数の最大の量又は最小限の量を定めることができる。これは、剛性レンズ（rigid lens）部品又はその表面を備える。「湾曲テンプレート」という用語は、可撓性要素（例えば膜）に適合可能なレンズ部品の表面の湾曲を指す。このようなこのような湾曲は、光学的度数ストップを定めることができて、光学的度数のために必要とされる正確な湾曲を提供できる。
【００２４】
ここで使用する用語十分に低くとは、流体がレンズ部品の第１表面と可撓性要素（例えば膜）の第１領域との間に位置するとき、流体の量が、可撓性要素の第１領域がレンズ部品の第１表面に実質的に適合できるように、可撓性要素の第１領域の形状に物質的に影響を及ぼさないことを意味する。また、流体は、機構の光学的度数に影響を及ぼさない。この用語は、如何なる機構（又は、その隙間／室）からも、流体粒子の全てを取り除くのが実際にほとんど不可能である事実を含み、したがって、第１レンズ部品と可撓性要素の第１領域との間の領域（例えば、若干の残りは、少なくとも表面上に残ることができる）に、流体粒子の最小量が存在できることを意味する。しかしながら、「十分に少ない」というときに、流体の量は機構の機能性に対して微量である。
【００２５】
一方、明細書中の「十分に多い」（又は「十分に高い」）という用語は、流体がレンズ部品とインデックスマッチされているときに、レンズ面の部分は、（正又は負の）光学度数を光学ダイナミックな領域に物質的に加えないように、レンズ面及び／又はその光学特徴物を「覆う」のに十分である（すなわち、流体が、その表面の部分と光学的に連結されている）流体の量を意味する。このように、本明細書において用いられているように、そのレンズの部分を「覆う」ことなく、表面上に少量の流体（又は流体residue）が、存在することができる。
【００２６】
実施形態は、上で強調されていると共に満たされていないニーズの幾つ又は全てを解決することができる／満足することができる流体を備えるダイナミックなレンズを提供する。実施形態が、本願明細書において開示する流体を利用するとき、それは、（例えば膜である）湾曲において、可撓性要素の第１領域が適合する第１レンズ部品の（堅くてもよくて、光学特徴物を含むことができるか又は含むことができない）第１レンズ面の外側の湾曲であり、増加流量の外側の湾曲でない。それは、近見視力の矯正のために必要とされる陽（プラスの）光学的度数及び／又は光学的度数を加えることができる。幾つかの実施形態では、可撓性要素の第１領域は、一部の可撓性要素だけを備える。幾つかの実施形態では、可撓性要素は、全ての可撓性要素を備えることができる。幾つかの実施形態では、第１領域は、物理的に接続されることができるか（例えば可撓性要素の連続領域）又は接続されることができない可撓性要素の複数の部分を備えることができる。
【００２７】
幾つかの実施形態において、レンズの前面（例えば、ビューアから更に離れている第１レンズ部品の表面である図１の表面１１）陽（プラスの）光学的度数のダイナミックな増加を示す湾曲テンプレートとして提供できる第１表面である。可撓性要素５が眼に最も近いレンズ側上に位置する幾つかの実施形態において、裏面（例えば、ビューアにより近い第１レンズ部品の表面である図１の表面１２）は湾曲テンプレートとして提供できる第１表面である。このような実施形態において、前面（例えば図１の表面１１）は、第２表面である。第２表面は、可撓性要素を備えるレンズの面の反対側の凸面であることができる。
【００２８】
上記のように、従来の流体レンズは、陽（プラスの）光学的度数の増加を引き起こすために膜を押圧する流体の体積の増加を提供する。この体積増加が非常に大きいか又は、非常に少ないとき、陽（プラス）の光学的度数、近い焦点／着用者の近見視力の矯正のために必要とする最適以下の何かであることができる。対照的に、本願明細書において、教示される実施形態は、ダイナミックなレンズが近点焦点（near point focus）又は着用者の近点視野矯正（near point vision correction）のために誤った光学的度数を提供することを防ぐ正確な光学的度数ストップを可能にする湾曲テンプレートを提供する。このように、実施形態によれば、近点光学的度数／近見視力（near vision）矯正が要求されるたびに、ダイナミックなレンズが着用者のために必要である正確であり及び且つ適当である光学的度数を提供できる。
【００２９】
幾つかの実施形態では、ダイナミックなレンズは、カバー（例えば、図１６の３２０のような第３レンズ部品）を含むこともできる。カバー又はカバーレンズは、距離光学的度数が正確に成し遂げられることを確実にするために、光学的度数ストップを提供している湾曲テンプレートとして機能することもできる。幾つかの実施形態では、カバーは、距離湾曲テンプレートとして機能することができる。光学特徴物を含むことができるか又は含むことができないレンズ部品の第１表面（例えば図１の表面１１）は、近見視力の光学的度数のための光学的度数ストップを提供することによって、近見視湾曲テンプレートとして提供できる（中間の湾曲テンプレートを含むことができる又は含むことができない）。第１表面は、中間視力（intermediate vision）の光学的度数を提供することもできる。従って、実施形態によっては、遠見視力（distance vision）対象物に焦点を合わせて、焦点を中間距離の対象物に、そして、近見視力の対象物に、又はいかなるそれらの組み合わせに切り替えるときに、遠見視力（distance vision）光学的度数、中間の光学的度数（必要に応じて）及び近見視力の光学的度数は、繰り返され、且つ正確に成し遂げられることが可能である。これは、部分的に、第１レンズ部品の第１表面及び／又は第３レンズ部品が所望の矯正のための光学的度数ストップとして提供するので、実施形態が、各時流体の正確な量を使用する膜の形状を変えることに依存しないことによる。しかしながら、本願明細書において、ダイナミックなレンズの実施形態が、光学度数ストップから離れてダイナミックな光学領域の光学的度数をチューニングすることができ、又は光学的度数間にチューニングすることができることに注目されたい。
【００３０】
従って、ダイナミックな光学レンズを備える装置又は機構が提供される。第１機構は、第１表面及び第２表面を有する第１レンズ部品を含む。第１レンズ部品は、剛性を有しても良い。すなわち、その表面の湾曲及び形状が変化しないような材料からなることができる。これらの特徴物を有する、ガラス、プラスチック及び／又は他のいかなる透明な剛性材料を含むいかなる材料も用いられることが可能である。第１表面又は第２表面は、例えば自由に形成されているか（free formed）又はデジタル的に表面処理されて仕上げられることができる。
【００３１】
第１機構は、可撓性要素を備える第２レンズ部品を更に含む。可撓性要素は、膜を備えることができる。幾つかの実施形態では、第２レンズ部品は、可撓性部品及び剛性の構成要素を備えることができる。可撓性要素は、いかなる材料からなることができる。そして、二軸配向（biaxially oriented）のポリエチレンテレフタラート（商品名マイラーの下で入手できる）又はウレタンを含む。しかしながら、第２レンズ部品の第１領域が第１レンズ部品の第１表面に適合できるように、いかなる適切な材料が用いられることも可能である。幾つかの実施形態では、上記の通りの第１機構において、第２レンズ部品（及び／又は第１領域）は、伸縮性を有することができる。これによって、第１レンズ部品の第１表面にまだ適合しているとき、第２要素（及び／又は領域）は幾つかの構造が保持できる。第１表面に適合する能力は、流体がその領域において十分に少ないとき、第１表面の上に、レンズの光学的度数を定める光学特徴物をもたらすことができる。すなわち、可撓性要素の第１領域がそれ自身の湾曲を維持しないで、第１表面の湾曲に適合するので、第１表面の湾曲はレンズの光学的度数を定めることができる。
【００３２】
幾つかの実施形態では、第２レンズ部品又はその領域の可撓性要素は、半透明である。幾つかの実施形態では、可撓性要素又はその領域は、透明である。レンズはユーザーがこのレンズ部品からの多くの障害なしで対象を見ることを可能にするので、透明な可撓性要素は、ユーザーが眼鏡等の日常使用においてレンズを利用する用途のために好まれることができる。好ましくは、第２レンズ部品又はその領域は、表面に対して入射する光波の少なくとも８５％を伝搬する。好ましくは、第２レンズ部品又はその領域は、表面に対して入射する光波の少なくとも９０％を伝搬する。ダイナミックなレンズ又はその領域が高い光環境及び低い光環境において用いられることができるように可撓性要素が光波の伝播を不必要に抑制しないことが望ましい。
【００３３】
第１レンズ部品及び第２レンズ部品は、隙間又は室が少なくとも一部の２つの構成要素（部品）の間に作られることが可能であるように位置する。幾つかの実施形態において、一部の可撓性要素は第１レンズ部品の第１表面に永久に付着されることができる。これは、光学的度数が変化できるダイナミックな光学領域周辺に封止部を作成できる。幾つかの実施形態では、第２レンズ部品は、第１機構の固定部分に付着されていることができる。しかしながら、レンズを異なるスタイルのフレームの形に作る能力を阻害できるので、これは好ましくない。
【００３４】
また、第１機構は、少なくとも一部の第１レンズ部品と少なくとも一部の第２レンズ部品（例えば上記の隙間において、）とのの間に適用されることができる流体を含む。流体は、いかなる構成でもよくて、例えばガス及び／又はゲルの物質の他の状態（form）を含むこともできる。流体は、如何なる屈折率を有することができるが、幾つかの実施形態において、流体が第１レンズ部品と適合するインデックスであることが好ましい。本明細書で用いられているような「インデックスマッチ」という用語は、屈折率が実質的に同程度であることを意味する。例えば、屈折率は、０．０５のユニットで互いにあってもよい。
【００３５】
第１機構において、上で強調したように、第２レンズ部品の可撓性要素は、第１領域を備えることができる。第１領域は、第１レンズ部品の第１表面と第２レンズ部品の第１領域との間の流体の量が（「十分に少ない」という用語は上で定義されている）十分に少ないときに第１レンズ部品の第１表面に適合する。すなわち、第１レンズ部品と可撓性要素の第１領域との間の隙間に位置する流体が除去される（又は実質的に除去される）ときに、可撓性要素の第１領域は第１レンズ部品の第１表面と接触することができて及び／又は適合できる。このようにして、可撓性要素の第１領域は、その上に第１表面及びいかなる光学特徴物の形状を有する。可撓性要素及びレンズ部品の屈折率が実質的に同じことである場合、光学領域が第１レンズ部品の第１表面によって定義される光学的度数を有することができる。このように、実施形態は、第１表面により定義される光学的度数に、一貫して且つ確実に戻す能力を供給する。
【００３６】
第１機構において、第１レンズ部品の第１表面と第２レンズ部品の第１領域との間の流体の量が十分に多いときに、第２レンズ部品の可撓性要素の第１領域も第１レンズ部品の第１表面に適合しない。すなわち、流体が、第１レンズ部品と可撓性要素の第１領域との間に隙間に室にある又は塗布されるときに、可撓性要素の第１領域は、流体によって、位置がずれることができ（又は第１表面から離れて移動する）、それによってもはや第１表面に接触しない及び／又は、第１表面に適合しない。従って、これは、ダイナミックなレンズに特定領域の光学的度数を変える能力を提供できる。流体が第１レンズ部品とインデックスがマッチされた実施形態において、第１レンズ面の光学特徴物又は湾曲は、流体が十分に多いいかなる領域における光学的度数にもはや寄与することができない。
【００３７】
幾つかの実施形態では、上記の第１機構において、可撓性要素は、第２領域を更に備える。可撓性要素の第１領域と第１表面との間の流体に十分に少ないときに、第２レンズ部品の可撓性要素の第１領域は、第１レンズ部品の第１表面に適合することができ、同時に、第２領域と第１表面との間の流体が十分に多いときに、可撓性要素の第２領域が第１レンズ部品の第１表面に適合しない。すなわち、流体が第１及び第２レンズ部品との間から除去されるか又は位置がずれるようになっているとき、第１表面の異なる部分は、流体によってもはや覆われることができず、このことにより、可撓性要素の一つの領域又は複数の領域は、付着することができて及び／又はそれらの表面にかなうことができるように機構及び第１表面がなっていることができる。同時に、可撓性要素のこれらの領域が光学面のそれらの部分に適合しないように、流体が十分に多いままである可撓性要素の他の領域及び第１表面の部分があることができる。これは、異なる領域において、異なる光学的度数を有するダイナミックなレンズの実施形態を提供することができ、どんなとき（又は同時に）にも電力を供給することを選択する能力をユーザーに提供できる。このような実施形態の例は図１３及び図１４に示される。そして、それは以下に詳細に記載されている。
【００３８】
幾つかの実施形態では、第１機構は、第１及び第２レンズ部品との間に位置しない流体を含むことができる貯蔵部を含む。貯蔵部は、いかなる材料から成ることができて、第１機構の他の構成要素の範囲内で位置できる。たとえば、第１機構が、眼鏡を備える実施形態に対して、貯蔵部は、フレームに、鼻橋に、その他の位置に、位置することができる。貯蔵部に流体が入ることができて、貯蔵部から流体が放出されることができる限り、貯蔵部はいかなる適切な位置にあることができる。さらに、機構は、複数の貯蔵部を備えることができる。
【００３９】
幾つかの実施形態では、流体は、第１及び第２レンズ部品との間にアクチュエータにより塗布されることができる。アクチュエータは、機械的に（例えば、スプリングを装備する）、手動で操作され、電気的に移動し、又は電気機械的に移動し、又は流体の配置を移動するように調整されるたとえば、シリンジ、プランジャ、ポンプを含む、流体を適用して及び／又は移動させるか又は取り除くいかなるタイプの装置を備えることができる。アクチュエータは、いかなる適切な位置にあることができて、貯蔵部と第１及び第２レンズ部品（及び／又はチャネルどちらか）の間の隙間とに典型的に連絡する。
【００４０】
幾つかの実施形態では、上記の第１機構で、第１表面は、第１光学特徴物を更に備える。光学特徴物は、次の何れか一つ、又は幾つかの組み合わせを含むと共にダイナミックなレンズの光学的度数を変える何かであることができる：漸進的な光学的度数領域、二焦点レンズ、三焦点レンズ、多焦点領域、非球面の光学特徴物、非球面の領域、回転対称の光学特徴物、そして、回転非対称の光学特徴物。第１レンズ部品の第１表面上に光学特徴物を含むことによって、直ちに戻られることができるとともに適用されることができるその領域において、ダイナミックなレンズの実施形態が、光学的度数を有する予め定められた光学ストップを有することを可能にする。さらに、第１表面は、異なる領域にある複数の光学特徴物を有することができる。好ましくは、幾つかの実施形態で、第１光学特徴物と可撓性要素の第１領域との間の流体の量が十分に少ないときに、第１機構の可撓性要素の第１領域は第１光学特徴物に適合する。このことにより、流体が第１レンズ部品及び可撓性膜の第１領域との間から十分に除去されるときに、このような実施形態では、第１表面は光学的度数ストップとして機能する。
【００４１】
更に、幾つかの実施形態において、第１光学特徴物と可撓性要素の第１領域との間の流体の量が十分に多いときに、第１機構の可撓性要素の第１領域が第１光学特徴物に適合しないことが好ましい。これは、流体が加えられて十分に多いとき、光学特徴物が、もはやその領域の光学的度数を定義しないか、又は領域の光学的度数に関与しないことを可能にするダイナミックな特性が提供されるという点で、上で記載されている同じ理由から好まれることができる。このように、実施形態において、レンズは、可撓性要素と第１レンズ部品との間の流体に応じて、レンズの同じ領域のための複数の光学的度数を提供する。
【００４２】
幾つかの実施形態では、上記の通りの第１機構は、第１ダイナミックな光学的度数領域を更に含む。ダイナミックな光学的度数領域とは、変化できる光学的度数を有するレンズの一部分をいう。例えば、幾つかの実施形態において、ダイナミックな光学的度数領域は、第１レンズ部品の第１表面の光学特徴物と一致する。ダイナミックな光学領域と光学的に連結されている第１レンズ面を覆う流体の量が変化するにつれて、ダイナミックな光学的度数領域の光学的度数は変化することも可能である。幾つかの実施形態では、可撓性要素の第１領域と第１レンズ部品との間の流体が十分に少ないときに、ダイナミックな光学的度数領域は第１レンズ部品の第１表面により定義されることができる。
【００４３】
第１レンズ部品の第１表面が光学特徴物を含み、第１機構が第１ダイナミックな光学的度数領域を含む幾つかの実施形態において、流体は、第１レンズ部品の屈折率と実質的に類似している屈折率を有することができる。このような実施形態では、第１光学特徴物と可撓性要素の第１領域との間の流体の量が十分に多いときに、流体の屈折率が第１光学特徴物が第１ダイナミックな光学的度数領域に貢献しないようなものであることが好ましい。流体が第１表面と可撓性要素の第１領域との間に十分に少ないときに、これはレンズ部品の第１表面上の光学特徴物が光学的度数に貢献するか又は光学的度数を定めることを可能にする。また、流体が十分に多いレベルに増加するときに、同じ特徴が同じ領域の光学特性に関与しない。これは、部分的に、流体及び第１レンズ部品が実質的に同じ屈折率を有するという事実による。そして、このことにより、いかなる光学特徴物は、その領域において、付加された流体によって、基本的にマスキングされるか又は隠されることができる。
【００４４】
幾つかの実施形態では、上記の通り、第１機構の第１レンズ部品の第１表面は第１光学的度数ストップを定める。そして、それは光学的度数のためにあってもよい。すなわち、第１表面が、ビューアの近くにある（すなわち、ビューアから短い距離離れている）対象に対応するビューアのために第１表面が矯正を提供するようにすることができる。更に、幾つかの実施形態で、可撓性膜の第１領域と第１レンズ部品の第１表面との間の流体が十分に少ないとき、第１表面はレンズの光学的度数を定義できるか又はレンズの光学的度数に寄与することができ、如何なる付加的陽の度数もその領域に加えられることができないという点で、第１表面が光学的度数ストップであってもよい。第１レンズ部品が第１光学特徴物を備える幾つかの実施形態において、第１光学特徴物と可撓性要素の第１領域との間の流体が十分に少ないときに、第１ダイナミックな光学的度数領域は、第１光学特徴物により定義される。すなわち、機構のその領域のための光学的度数ストップは、第１レンズ部品の第１表面上の光学特徴物により定義されることができる。
【００４５】
上記の第１機構が第１ダイナミックな光学的度数領域を含む幾つかの実施形態において、第１ダイナミックな光学的度数領域は調整可能でもよい。明細書中の「調整可能である」という用語は、光学的度数が一つの値から別の値に（おそらく連続的に）変化できることを意味する。幾つかの実施形態において、第１光学特徴物と可撓性要素の第１領域との間の流体の量が十分に少ないとき、ダイナミックな光学的度数領域は、第１光学的度数ストップにより定義される。第１光学特徴物と可撓性要素の第１領域との間の流体の量が増加するにつれて、ダイナミックな光学的度数領域が第１光学的度数ストップから離れて調整する。これは、可撓性要素の第１領域の形状が変化して、第１表面の光学特徴物の異なる態様に合致し続けることができるという理由でもよい。従って、これは、流体の量が十分に少ないときに、第１光学的度数から第１表面により定義される光学的度数ストップまで連続方法でレンズの領域の光学的度数を変えることができる。
【００４６】
上記の第１機構が第１ダイナミックな光学的度数領域を含む幾つかの実施形態では、第１レンズ部品と第２レンズ部品の可撓性要素の第１領域との間の流体の体積の減少が、ダイナミックな光学的度数領域の陽の光学的度数を増加させることができる。これは、部分的に、陽の光学的度数を加える光学特徴物又は湾曲を備える第１表面の形状によって、再び生じる場合がある。したがって、（第１レンズ部品に対する屈折率整合されていることができる）流体の減少はこれらの特徴物を露出させる。これらの特徴物は、それから、領域の光学的度数に関与できる（すなわち、陽の光学的度数を加える）。幾つかの実施形態では、第１レンズ部品と第２レンズ部品の可撓性要素の第１領域との間の流体の体積の減少は、ダイナミックな光学的度数領域の陽の光学的度数を減少させる。同じ理由から、第１レンズ部品の第１表面は負の光学的度数を提供することができ、該負の光学的度数は、屈折率整合流体が除去されるか又は位置がずれるときに、レンズの領域の光学的度数に寄与する。
【００４７】
幾つかの実施形態では、上記の通りの第１機構において、第２レンズ部品の形状は、第１レンズ部品と第２レンズ部品との間の流体の量に基づいて、調節可能である。上記のように、第２レンズ部品は可撓性要素を備えることができる。そして、その可撓性要素は膜でもよい。可撓性要素は流体の量及び／又は可撓性要素に印加された圧力に基づいて形状を変えることができる。さらに、上記の通りに、可撓性要素の第１領域は、第１レンズ部品の少なくとも一部の第１表面に適合できる。
【００４８】
幾つかの実施形態では、上記の通りの第１機構で、第１レンズ部品は第１屈折率を有し、第２レンズ部品は第２屈折率を有し、そして、流体は第３屈折率を有する。幾つかの実施形態では、第１屈折率は、第２屈折率と実質的に同様である。すなわち、２つの構成要素の間に伝搬する光が実質的に屈折しないように、第１レンズ部品及び流体はインデックスマッチされていることができる。これによって、表面を覆っている流体の量が十分に多いときに、第１表面の光学特徴物がマスキングされるか又は隠されることができる（すなわち、それらは、光学的度数に関与しない）。幾つかの実施形態では、第１屈折率は、第３屈折率と実質的に同様である。すなわち、第１レンズ部品及び第２レンズ部品（及び／又は第２レンズ部品の柔軟な構成要素）は、インデックスマッチされていることができる。これは、可撓性要素と第１レンズ面との間のインターフェースで、レンズに入射する光が屈折することを妨げることができる。従って、それは、機構のその領域の光学的度数に影響を及ぼすことができる。幾つかの実施形態では、第１、第２及び第３屈折率は、実質的に同じことである。第１表面の光学特徴物が着用者によって必要な矯正光学的度数に対応できるのが好ましく、機構の設計において原因とされるこれらの構成要素のいずれかのインターフェースによって、生じた如何なる付加的光学的度数（加算光学的度数）もない。これは、（例えば、第１表面又はその部分が流体によって、覆われるときに）幾つかの実施形態において、光学的度数を提供しないようにより容易に設計されていることができる機構をもたらすことができる。好ましい幾つかの実施形態では、屈折のために構成要素のインターフェースで矯正する必要がないので、ビューアがある特定の距離で目的の矯正を必要としない。
【００４９】
幾つかの実施形態では、上記の通りの第１機構は、第１表面及び第２表面を有する第３レンズ部品を含む。第３レンズ部品はカバーレンズであることができる。そして、そのカバーレンズは可撓性膜を保護するのに提供できる。好ましくは、隙間が第１レンズ部品の第１表面と第３レンズ部品の第１表面との間に存在するように、第１レンズ部品及び第３レンズ部品は配置される。幾つかの実施形態では、第２レンズ部品は、実質的に１及び第３レンズ部品との間の隙間該隙間の範囲内で位置できる。好ましくは、流体の量が実質的に少なくとも一部の第１レンズ部品と少なくとも一部の第３レンズ部品との間の隙間を充填するとき、少なくとも一部の第２レンズ部品は第３レンズ部品の少なくとも一部の第１表面に適合する。すなわち、第３レンズ部品は、流体が第１レンズ部品と可撓性要素との間に塗布されるときに可撓性要素が拡大できる最大の位置を定める。幾つかの実施形態では、第３レンズ部品の第１表面は、第２光学的度数ストップを定める。幾つかの実施形態では、第２光学的度数ストップは、遠見視力の光学的度数（distance vision optical power）のためにある。すなわち、可撓性要素の領域が表面に適合するときに、ダイナミックな光学領域が必要とされた光学的度数を着用者の遠見視力の矯正に提供するように、第３レンズ部品は光学特徴物を有することができる。これは、ダイナミックなレンズが近見視力及び遠見視力を矯正できる効果を提供する。さらに、（固定であるか剛性レンズ部品により定義される）各々に対して光学的度数ストップを提供することによって、機構は、所望の光学的度数に信頼性が高い方法を一貫して、且つ正確に提供する。
【００５０】
（例示的実施形態）
【００５１】
レンズ１００の側面図を例示する図１を参照して、例示的実施形態について説明する。これは、説明のためだけに用いられており、このことにより制限しない。
【００５２】
レンズ１００は、第１レンズ部品１０及び第２レンズ部品５を備えることができる。第２レンズ部品５は、（例えば、第１レンズ部品１０がレンズ１００のユーザーのより近くに配置されているように）レンズ１００で観察されるか又は見られる対象のより近くに配置されることができる。流体（又は液体又はゲル、その他）２０は、第１レンズ部品１０と第２レンズ部品５との間に配置されることができる。第１レンズ部品１０は、均一な屈折率を有する材料を備える剛性のレンズでありえる。幾つかの実施形態では、流体２０は、第１レンズ部品１０の屈折率にほぼ等しい屈折率又は実質的に同じ屈折率を有することができる。
【００５３】
第１レンズ部品１０は、第１表面１１（流体２０と隣接している第１レンズ部品１０の表面）及び第２表面１２（流体２０と隣接していない第１レンズ部品１０の表面）を備えることができる。第１レンズ部品１０の第１表面１１及び第２表面１２は、いかなる形状又は湾曲（凹形、凸面及び／又は平坦な湾曲（例えば、無限にほぼ等しい半径）を含む）も各々有することができる。更に、いかなる光学特徴物が−例えば、漸進性光学的度数領域、二焦点、三焦点、他の多焦点領域、非球面の光学特徴物、非球面の領域、回転対称の光学特徴物（回転対称の非球面の領域を含む）、回転非対称の光学特徴物（回転非対称の非球面の領域を含む）、又はいかなるそれらの組み合わせが、第１レンズ部品１０の第１表面１１又は第２表面１２のいかなる部分にも配置されることができる。
【００５４】
第２レンズ部品５は、例えば可撓性膜の可撓性要素を備えることができる。第２レンズ部品５は、伸縮性を有することができる。したがって、第２レンズ部品５の形状は、第１レンズ部品１０と第２レンズ部品５との間に配置されている流体２０の体積に基づいて、動的に調整されることができる。具体的には、流体２０の量又は体積が減少するにつれて、第２レンズ部品５（又はその部分）は第１レンズ部品１０の第１表面１１の方へ引かれることができる。最終的に、第２レンズ部品５の領域は、第１レンズ部品１０の形状と接触することができ及び／又は第１レンズ部品１０の形状に適合できる。従って、流体の量又は体積が増加するにつれて、第２レンズ部品５は第１レンズ部品１０の第１表面１１から遠ざけられることが可能である。第２レンズ部品５の可撓性要素（又はその領域）は、限定的されないが二軸配向ポリエチレンテレフタラート（商品名マイラーの下で利用できる）のような材料又はウレタンであることができる。そして、幾つかの実施形態において、半透明であるか、透明である。
【００５５】
第２レンズ部品５の形状が動的に調整されるにつれて、レンズ１００の一つ以上の領域の光学的度数は変化できるか又を、調整できる。（本実施形態において、流体は、第１部品とインデックスマッチされている）流体２０が第１レンズ部品１０及び第２レンズ部品５を切り離すときに、流体２０によって、流体２０によって覆われる第１レンズ部品１０の一部の第１表面１１のいかなる光学特徴物部もレンズ１００により提供される光学的度数に関与しない。上記のように、これは、流体２０がほぼ第１レンズ部品１０の屈折率に合致する屈折率を有するという理由である。第１レンズ部品１０及び第２レンズ部品５を切り離す流体２０の量が実質的に低いとき、そして第２レンズ部品５（又はその領域）は第１レンズ部品１０の第１表面１１の形状に適合できる。次に、第１レンズ部品１０の一部の第１表面１１のいかなる光学特徴物も、レンズ１００の様々な部分において提供されるダイナミックな光学的度数に関与できる。より詳しくは、流体２０によって、覆われることができて、また覆われることができない第１レンズ部品１０の第１表面１１のいかなる光学特徴物も、レンズ１００により提供されるダイナミックな光学度数に関与できる。上記のように、このような領域は、レンズ１００のダイナミックな光学的度数領域であると思うことができる。レンズ１００のダイナミックな光学的度数領域はいかなる形状又はサイズであることができ、流体２０によってもはや覆われていないときに、いかなる所望の光学的度数に寄与できる。更に、レンズ１００のダイナミックな光学的度数領域は、レンズ１００（例えば、第１レンズ部品１０の第２表面１２に置かれる光学特徴物）の一つ以上の付加的光学特徴物と光学的に連結していることが可能である。このようにして、レンズ１００のダイナミックな光学的度数領域は、レンズ１００（例えば、レンズ１００の付加的光学度数の全ての第１部分）の領域のための全所望の光学的度数の一部を寄与できる。
【００５６】
流体２０は、いかなる適切な方法及び機構によっても移動できる。例えば、第１レンズ部品１０の移動は、流体２０を置換できる。第１レンズ部品１０が第２レンズ部品５へ移動する場合、流体２０は第１レンズ部品１０及び第２レンズ部品５を切り離している領域から強制されることができる。第１レンズ部品１０が第２レンズ部品５から遠ざけられる場合、流体２０が第１レンズ部品１０及び第２レンズ部品５を切り離している領域に入ることは許容されるか又は強いられることができる。幾つかの実施形態では、アクチュエータは、第１レンズ部品１０と第２レンズ部品５との間の領域の内へ又は外へ流体をポンプ輸送（pump）できる。このようなアクチュエータは、例えば、 眼鏡を備える実施形態において、レンズ１００を収納しているレンズ・フレームのテンプル内に、配置されることができる。しかしながら、アクチュエータは、いかなる適切な位置にも位置することができる。
【００５７】
流体２０は室又は貯蔵部に引かれえる（すなわち、取り除され、又は移される）。そして、それはレンズ１００に対して様々な位置に配置されることができる。一例として、そして、示すように図１で、流体２０は、一つ以上の貯蔵部２５に対して排除され得る。付加的実施形態として、流体は、レンズ１００を収納しているレンズ・フレームのテンプル内に配置される貯蔵部にポンプ圧送されることができる。
【００５８】
上記のように、図１において示されている典型的なレンズ１００は具体的な例に過ぎず、本発明がこれに制限されるわけではない。図１に示されているように、流体２０は、可撓性要素を備えている全ての第２レンズ部品５から第１レンズ部品１０の全ての第１表面１１を切り離すように表されている（すなわち、表されるように、流体はほぼ第１レンズ部品１０の全ての第１表面１１を覆うことができる）が、実施形態は、それ程制限されない。すなわち、幾つかの実施形態において、ダイナミックなレンズ１００の流体２０は、第１レンズ部品１０の選択された部分と第２レンズ部品５との間にだけに配置され得る。第１レンズ部品１０及び第２レンズ部品５を切り離す流体２０の量が実質的に少ないレンズ１００の部分に関しては、可撓性要素５の領域は、第１レンズ部品１０の第１表面１１のその部分に、ほぼ適合できる。更に、幾つかの実施形態においては、可撓性要素５の部分は、第１レンズ部品１０の第１表面１１に、接着剤で取り付けられることが可能である。加えて、幾つかの実施形態は、図１に図示されている交互の位置にある可撓性要素５及びレンズ部品１０を備えることができる。すなわち、可撓性要素５は、レンズ１００のユーザーのより近くに配置されており、第１レンズ部品１０は、ユーザーからさらに遠く配置されている。このような実施形態では、レンズ部品１０の第２表面１２上に位置する光学特徴物は、可撓性膜５の領域をレンズ部品１０から切り離している流体２０の有無に基づいて露出するか又は覆われる。
【００５９】
実施形態は、インデックスがマッチした流体を有するレンズ部品の表面における光学特徴物に露出させる又は覆うダイナミックなレンズの一つ以上の光学領域により提供される全体の光学的度数を動的に調整できるダイナミックなレンズを提供する。実施形態は、空間的に及び／又は時間的に変化するできるレンズの光学的度数によって、如何なる可変光学的度数のレンズの形成にも用いられ得る。
【００６０】
図は、以下更に詳細に説明される。図は、ダイナミックなレンズの実施形態及び／又は動作の例を提供する。本願の図面及び明細書におけるその説明は、説明目的のためにあって、制限することを目的としない。
【００６１】
図１〜図３は、ダイナミックなレンズの例示的実施形態の動作を示す。図１においては、典型的なレンズ１００は可撓性要素５が第１表面１１に適合しないように、可撓性要素５と第１レンズ部品１０の第１表面１１との間に流体２０が十分に多いと図示されている。図２において、レンズ１００は、一部の可撓性要素５及び第１表面１１を備えており、それらの間には流体が十分に多い。図３において、レンズ１００は、大部分の可撓性要素５と第１レンズ部品１０の第１表面１１との間に十分に少ない量の流体２０を有する。これらの例示的実施形態の各々は、以下において更に詳細に記載されている。
【００６２】
図１は、ダイナミックなレンズの例示的実施態様の断面図である。レンズ１００は、ほぼ「第１」か「最初」状態にある。本実施形態において、流体２０は、第１レンズ部品１０の第１表面１１の全体を、可撓性要素５（例えば可撓性膜）を備える第２レンズ部品から切り離す。しかしながら、上記の通りに、幾つかの実施形態で、流体は、一部の第１レンズ部品１０及び第２レンズ部品の可撓性要素５だけを切り離すことができる。この実施形態例では、流体２０及び可撓性要素５は、実質的に第１レンズ部品１０の屈折率にマッチする屈折率を有することができる。上記のように、「実質的に、マッチする」は、２つの構成要素の屈折率間にかなりの違いがないこと、例えば、屈折率の差は、０．０５のユニットの範囲内であることを意味する。この例示的実施形態では、インデックスが実質的に同じことである状況に関して記載されているものの、実施形態によっては、これらの構成要素の一つ以上の屈折率が他の構成要素の屈折率と異なってもよいことを理解すべきである。そして、それは以下に詳細に述べられる。
【００６３】
図１にて図示するように（そして、流体の屈折率及び第１レンズ部品の屈折率が実質的に同じことである実施形態が続く）、この第１状態において、第１レンズ部品１０の第１表面１１の光学特徴物は、レンズ１００により提供される光学的度数に寄与することができない。これは、光学特徴物を覆うように第１表面１１（そして、その上に位置するいかなる光学特徴物）と可撓性膜５との間にある流体２０の量が十分に多いという理由による。図１にて図示するように、レンズ１００は、第１状態にある単一のビジョンレンズ（例えば、ソフト（piano）レンズ）であることが示されている。すなわち、レンズ１００が光学的度数を有しないように、可撓性要素５の湾曲は表面１２の湾曲とほぼ同じである。このように、レンズと入射ポイントで平行である光線１０１は実質的に平行したレンズから出てくる。しかしながら、他の実施形態において、レンズ１００（又はその領域）がこの第１状態と異なる光学的度数及び／又は光学特性を有することができることを理解すべきである。例えば、レンズ１００が第１状態の一つ以上の光学的度数を提供するように、第１レンズ部品１０の第２表面１２（例えば、裏面）はいかなる光学特徴物（例えば、漸進的な光学的度数領域のような多焦点領域）からなることができる。図示のように、図１の第１状態は、表面１１が光学的度数に関与しない実施形態を例示する。
【００６４】
図２に関して、典型的なレンズ１００は、「第２状態」か「遷移状態」にあるように表される。具体的には、一部の流体２０は、第１レンズ部品１０と第２レンズ部品５との間の隙間から除去されたか又は移された。図示のように、流体２０が除去されるか又は位置がずれるにつれて、第２レンズ部品の可撓性要素５の第１領域２０１は形状を変え始める。可撓性要素５の第１領域２０１が第１レンズ部品１０の第１表面１１と接触して及び／又は適合するにつれて、それは第１表面１１の形状又は湾曲に適合する。
【００６５】
本実施形態において、流体２０が除去されるか又は位置がずれるにつれて、特定領域のレンズ１００により提供される光学的度数は第１レンズ部品１０の第１表面１１の対応する部分の形状に基づいて調整されることができるか又は変えることができる。これは、図２において、可撓性要素５の第１領域が第１レンズ部品１０の第１表面１１に適合した領域のレンズ１００に対して入射する光線２０２の屈折により表される。対照的に、この例示的実施形態で、可撓性要素５の第２領域の湾曲が表面１２（すなわち、この部分のレンズは、ソフト（piano）であり続ける）の湾曲にマッチし続けるにつれて、光線２０３はレンズ１００によって屈折するように示されていない。流体が置換されて又は取り除かれるとき、第１レンズ部品１０の第１表面１１により提供される光学的度数に等しくなるまで、レンズ１０のこの領域のための光学的度数は、変化することができる（すなわち、レンズ１０のこの領域のための光学的度数は、継続的に及び／又は段階的に変化できる）を理解されなければならない。
【００６６】
幾つかの実施形態では、流体２０は、可動スライド１５及び固定部分４０を用いることによって移動できる。すなわち、流体が第１レンズ部品１０と第２レンズ部品との間の隙間に投入されるか又は除去されることを可能にするために、固定部分４０から間隔をおいて配置される機構のスライド１５を動かすことによって、流体２０が除去できる。第１レンズ部品の１０と第２レンズ部品５との間の隙間において存在しない流体は、貯蔵部２５又はレンズ１００及び／又は機構の他の適切な領域において、貯蔵され、又は保持できる。しかしながら、当業者により理解されるように、流体を隙間から除去して、隙間に移動させ、及び／又は投入するために、アクチュエータ、ポンプ、バルブシステムを含むいかなる手段も用いることができる。
【００６７】
図２において図示されていないが、流体２０が、第１レンズ部品と第２レンズ部品５（又はその部分）との間の隙間に投入されるか（例えば、加えられる）又は取り除かれ（又は移動される）、そして、可撓性要素５は、その領域の光学的度数もが変化し始めることができる形状（必ずしも表面にかなうというわけではない）に換わり始めることを理解すべきである。これは、第１表面１１と可撓性要素５の領域との間の流体が十分に少ないときに、レンズのその領域の光学的度数が第１表面１１及びその上にあるいかなる光学特徴物により定義されることをもたらす光学ストップと共に、レンズの領域のための調整可能な光学的度数をもたらすことがある。
【００６８】
図３に関して、典型的なレンズ１００は、ほぼ「最終的である」か「第２」状態に表される。上記のように、「第２」状態として記載されているにもかかわらず、流体２０が第１レンズ部品１０と可撓性要素５との間の隙間から取り除かれる（又は投入される）とき、レンズ１００（又はその領域）の光学的度数が変化し続けることができるので典型的なレンズ１００の無限の数の状態が潜在的にある。上記のように、光学的度数ストップに接近する、又は、光学的度数ストップからよりはるかに間隔を持って位置する光学的度数へ段階的に、又は、系統的に変えることができるという点で、このプロセスは、「チューニング工程」と呼ばれてもよい。
【００６９】
図３に続けて表されるように、流体２０は第１レンズ部品１０及び第２レンズ部品の可撓性要素５との間からほぼ移動されるか又は除去された。第２レンズ部品の可撓性要素５の付加的領域は、それが第１レンズ部品１０の第１表面１１と接触して及び／又は適合するので、形状が変更する。図３に示すように、レンズ１００により提供される光学的度数は、第１レンズ部品１０の第１表面１１の形状に適合する可撓性膜５を有することによって、調整された。このように、特に、第１レンズ部品１０の第１表面１１により定義されるように、光線３０１はレンズ１００の光学的度数に基づいて現在屈折して焦束される。
【００７０】
図３に示すように、レンズ１００は（例えば、陽の光学的度数を提供する）単一のビジョンレンズとして示されている。しかし、実施形態は非常に制限されない。すなわち、「第２状態」のレンズ１００が複数の光学的度数又は視野ゾーンを提供するように、第１レンズ部品１０の一部の第１表面１１は、多焦点領域、例えば、漸進的な光学的度数領域、を備えることができる。例えば、第１表面１１は、いかなる所望の光学特徴物（又は。複数の光学特徴物）から成ることができる。上記のように、第２表面１２は一つの光学特徴物又は複数の光学特徴物を有することもできる。そして、光学特徴物はレンズ１００（又はその領域）のための全体の光学的度数に寄与する。
【００７１】
図４に関して、典型的なレンズ１００は、正面図に示される。図示のように、図４のレンズ１００は、図１に記載されている「第１」又は「最初」の状態のレンズに対応する。すなわち、レンズ１００は、所定の状態にあると表現されており、それによって、流体がマッチされるインデックスであるときに、第１表面（又はその部分）が典型的なレンズ１００の光学度数領域に貢献しないように、第１レンズ部品１０の第１表面１１と可撓性要素５との間の隙間の流体２０の量は十分に多い。また、図４にも記載されているように、流体貯蔵所２５及び剛性コンポーネント４０がレンズ部品の周辺に位置している。
【００７２】
図５に関して、典型的なレンズ１００は、正面図に示される。表されているように、図５のレンズ１００は、図２に関して記載された「遷移」状態のレンズに対応する。本実施形態において、領域又はゾーン３０は、レンズ１００の外側の周辺部３５から区別されることが示されている。領域３０は、第１レンズ部品１０の第１表面１１と接触している及び／又は適合する可撓性要素５の第１領域に対応できる。すなわち、第１表面１１がその光学領域におけるレンズ１００の光学的度数を貢献して及び／又は定めるように、可撓性要素５の第１領域と第１表面１１との間の流体２０の量は領域３０において十分に少ない。このように、領域３０は、領域３０を囲んでいるレンズの領域３５により提供される光学的度数から変化する光学的度数を提供できる。第１表面１１と可撓性要素の５との間の流体の量が変化するにつれて、その領域の光学的度数が第１表面１１により定義される光学的度数ストップに向かって、又はそれから離れる方向に向かって調整されることができるので、領域３０は、レンズ１００の一部のダイナミックな（又は調節可能な）光学的度数領域として考えられ得る。
【００７３】
図６に関して、典型的なレンズ１００は、正面図に示される。図示のように、図６の典型的なレンズ１００は、図３に関して記載された「第２」又は「最後の」状態のレンズに対応する。図３に関して記載されていたように、この図が流体の実質的に全てが可撓性要素５及び第１表面１１との間から取り除かれるか又は移動される過程を例示しているので、領域３０は図５において表される領域３０と比較して拡大されている。領域３０は、第１レンズ部品１０の第１表面１１と接触して及び／又は適合する可撓性要素５の第１領域に、再び対応できる。すなわち、第１表面１１がその領域のレンズ１００の光学的度数に貢献するか及び／又は定めるように、可撓性要素５の第１領域と第１表面１１との間の流体２０の量が領域３０において十分に少ない。このように、図６にて図示するように、図５にあるものよりもレンズ１００の第１表面１１のより大きな部分は、ダイナミックな光学的度数領域に貢献している。
【００７４】
一般に、領域３０は、いかなるサイズ又は形状であることができ、恒常的な光学的度数又は可変的な光学的度数（対称的又は非対称的、且つ連続的又は不連続的光学的度数プロファイルを有する）を提供できる。領域３０は、中央に置かれるか又はレンズ１００のいかなる領域に位置するように配置されることができる。更に、レンズは複数の調節可能な光学的度数領域３０を含むことができる。複数の調節可能な光学的度数領域３０は物理的に切り離されるか及び／又は複数の可撓性要素を備えることができる。さらに、領域３０は、以下に示すものを含むことができるが、これに限らず、いかなるタイプの光学特徴物を備えることができる：漸進的な光学的度数領域、二焦点、三焦点、多焦点領域、非球面の光学特徴物、非球面の領域、回転対称及び／又は回転非対称の光学特徴物。
【００７５】
当業者は、一般に、本願明細書において提供されるダイナミックなレンズの実施形態が第１光学的度数プロファイル又は最初の複数の調節可能な光学的度数領域３０を「第１」又は「最初」状態の領域に提供できると認識して理解し、「遷移」状態（例えば、第１レンズ部品１０の第１表面１１の部分と可撓性要素５との間の流体２０の量が変化するによって、第１状態から中間状態に調整されることができる）の遷移光学的度数プロファイルを提供でき、第１レンズ部品１０の第１表面１１の光学特徴物の露出（例えば流体２０の十分に少ない量が第１表面１１と可撓性要素５の第１領域のとの間にあるときに）に基づいて、第２光学的度数プロファイルを「第２」状態又は「最終」状態の領域に提供できる。「第１」、「遷移の」及び「第２」光学的度数プロファイルは、いかなる所望の光学的度数プロファイルであってもよい。一つ以上の表面又は光学特徴物は、レンズ１００（例えば、２つ以上の表面は、互いによる光学的に連結されていることによって、レンズ１００の付加的光学的度数の総和が提供する）により提供される光学的度数プロファイルに寄与できる。更に、当業者は、本発明のダイナミックなレンズに使用される流体を移動させる又は貯蔵するために用いることができる異なる方法及び機構を理解するであろう。そして、それは、例えば、アクチュエータ及び／又は貯蔵部を含むことができる。
【００７６】
幾つかの実施形態では、図１及び４に関して記載されている第１光学度数プロフィール及び／又は光学領域は、一部が、第１レンズ部品１０の第２表面１２及び可撓性膜５で決定されることができる。上述の通り、流体２０が第１レンズ部品１０の第１表面１１の一つ以上の光学特徴物を覆うとき、第１光学的度数プロフィールはレンズ１００により提供されることができる。すなわち、第１光学プロフィールは、第１表面１１と可撓性要素５との間に流体２０の量が十分に多い実施形態を備えることができる。
【００７７】
幾つかの実施形態では、図３及び６に関して記載されている「第２」光学的度数プロフィールは、一部が、第１レンズ部品１０の第２表面１２及び第１レンズ部品１０の第１表面１１で決定されることができる。第１レンズ部品１０の第１表面１１の一つ以上の事前に覆われた光学特徴物が、上記の通りに露出されるときに、第２光学的度数プロフィールはレンズ１００によって提供され得る。すなわち、可撓性要素５の第１領域が第１表面１１に適合するように、第２光学プロフィールは、流体２０の十分に少ない量が少なくとも一部の第１表面１１と可撓性要素５との間にある状況を備えることができる。さらに、実施形態によっては、第１表面１１と可撓性要素５との間に流体２０の異なる量により定義されることができる、第１及び第２光学プロフィール（図２及び５に関連して記載されている）の間に中間の（「遷移状態の」）光学プロフィールを有することができる。その結果、の可撓性要素５の異なる形状及び／又はレンズ１００のダイナミックな光学的度数の領域に貢献している第１表面１１（そして、その上にある光学特徴物）の異なる部分がもたらされる。
【００７８】
上記の実施形態は、いくつかの効果を提供できる。例えば、これらの実施形態の第１表面１１は、レンズ１００の一つ以上の光学領域のための固定された光学的度数ストップを定めることができる。そして、それはユーザーによって、正確にかつ反復的に戻されることができる。部分的には、これは当然である。なぜなら、光学面１１を使用している現在の固定（すなわち非ダイナミック）レンズと同様に、レンズ１００の光学領域の光学的度数ストップは流体の特定の量を加えることにより定義されずに、変化しないからである。実施形態によって、例えば、第１表面１１（又はその部分）及び可撓性要素５の第１領域の間から流体の全て（又は実質的にすべて）を除去する又は移動させることによって、ユーザーは、迅速にレンズを所望の光学的度数に設定することができる。このように、ユーザーが特定の処方箋を有する場合、実施形態では、ユーザーは必要とされた光学的矯正を提供するために直ちにレンズ１００をセットすることができる。実施形態では、この固定された光学特徴物が、レンズの領域の光学的度数に必ずしも貢献するわけではないといった、 更なる利点を提供することもできる。これによって、例えば、１つの例における同じ光学領域によって、ビューアが遠い対象物を見ることができる。そして、他の例において、同じ光学領域は近視（nearsightedness）を矯正できる。また、いかなるタイプの矯正も提供され得る。
【００７９】
上記のように、可撓性要素５は、可撓性膜を備えることができる。可撓性要素５は、いかなる位置において、レンズ１００に接着又は付着されてもよい。例えば、可撓性要素５の部分は、次のいかなる一つ又は幾つかの組合せに付着されてもよい：第１表面１１、第１光学部品１０、レンズ４０の固定部分、メガネフレーム、又はレンズ１００に他の適当な位置の部分。幾つかの実施形態では、第２レンズ部品は、可撓性要素（例えば膜）のみならず固定の構成要素を有することができる。幾つかの実施形態では、可撓性要素５は、ハードコート／スコーチ防止コーティング、反射防止コーティング及び／又は汚れ防止コーティングで被覆されていることができる。幾つかの実施形態では、ダイナミックなレンズを備える機構は、第１レンズ部品１０の第１表面１１適合する可撓性要素５の表面に隣接する、いかなる付加的光学部品も備えていなくても良い。幾つかの実施形態では、ダイナミックなレンズは、例えば他のレンズ、ダイナミックなレンズ、カバーレンズ又は他のいかなる透過性であるか半透明のコンポーネントの第１レンズ部品１０の第１表面１１に適合することのない可撓性要素５の表面に隣接する追加的な光学部品を備えていることができる。
【００８０】
幾つかの実施形態（そして、上記の通り）において、流体２０は、レンズ１００のいくつかの又は全部の他の光学部品とインデックスがマッチされていることができる。すなわち、屈折率は、実質的に同じでありえる。例えば、流体２０は、第１レンズ部品１０の屈折率のほぼ０．０５のユニットの範囲内でマッチされた屈折率を有することができる。可撓性要素５は、流体２０及び第１レンズ部品１０に屈折率がマッチされ得る。
【００８１】
幾つかの実施形態では、流体２０は、第１レンズ部品１０とインデックスマッチされていない。このような実施形態において、レンズ１００は、上記の通りに、同様に機能できる。しかしながら、図１〜６を参照して記述されたダイナミックなレンズの各々の状態は、光学的度数を有することができ、その結果、複数の領域であっても、第１表面１１が流体２０によって実質的に覆われる。例えば、「第１」状態にある場合、第１表面１１と可撓性要素５の第１領域との間の流体が実質的に多いときに、光線が平行に入ってレンズ１００から平行に出るというよりはむしろ、光線は、部分的に、屈折率の違いによって提供されるレンズ１００の光学的度数に基づいて焦束されることができる。しかしながら、第１表面１１は、未だ光学的度数ストップを定めることができる。光学的度数ストップは、可撓性要素５と第１表面１１との間の流体２０の量に基づいて調整された、又は離れることができる。
【００８２】
様々な特徴物を備えることができる典型的なダイナミックなレンズの付加的実施形態は、図７〜図２０に関連して後述する。
【００８３】
図７に関して、ダイナミックなレンズ２００の実施形態は示される。図７に示されるレンズ２００は、レンズ素材（例えば、未完成のレンズ素材又は半仕上げのレンズ素材）でありえる。図７に示されるレンズは、メガネフレームに適合するために、押し進められて、終えることができる（例えば、図１１に示されており、更に下において記載されている）。図７の説明を続けると、レンズ２００の可撓性要素は、点線により示される円形領域７０１を除いて、全てのレンズを覆って付着されている。本実施形態において、動的又は調節可能な度数領域は、点線の中の領域７０１である。したがって、領域７０１は、レンズ２００の流体が抽出されるか又はこの領域から移されるにつれて変化できる光学的度数を有するレンズ２００の領域である。領域７０１は、レンズの適切な位置７０２の下に配置されることができるが、非常に制限されるものではない（すなわち、レンズ２００上のどの位置でもよい）。領域７０１は、レンズの幾何中心７０３のおよそ中央に置かれることができるが、再び非常に制限されない。更に、本発明のダイナミックなレンズ２００は、レンズの幾何中心７０３と一致する適切な位置７０２を有することができるが、非常に制限されない。
【００８４】
図７に示される例示的実施形態と共に続けると、結合線７０４は、レンズ２００に付着した可撓性要素の領域と、レンズ２００に付着していない可撓性要素の領域７０１との間の分離を表している。溝（trench）又は濠（moat）７０５は、独立の可撓性要素部の全体又は一部を囲むことができる。幾つかの実施形態では、溝又は濠７０５は、第１レンズ部品の第１表面にあることができる。溝又は濠７０５は、レンズ２００の流体の動きを送るか又は導くために用いることができる。幾つかの実施形態では、流体が除去されるか又は領域７０１から移されるにつれて可撓性要素が引っ張られるか又は溝或いは濠７０５に配置するとき、溝又は濠７０５は可撓性要素を伸ばすための幅及び深さでもよい。溝又は濠７０５は、鋭い刃の数を減らすか又は除去するように、型又は他の適当手段により研磨されることができる、又を、成形できる。幾つかの実施形態では、溝又は濠７０５は、流体が可撓性要素と第１レンズ部品の第１表面との間の隙間を出入りすることを防ぐように、利用できる（たとえば、ダイナミックな領域７０１の封止を形成するために利用できる）。幾つかの実施形態では、溝又は濠７０５の直径は、ほぼ１０〜５０ｍｍの範囲の中にあることができる。好ましくは、溝又は濠７０５の直径は、ほぼ２０〜３５ｍｍの範囲の中にある。
【００８５】
幾つかの実施形態では、流体は、チャネル７０６を使用している破線領域７０１に出たり入ったりすることができる。チャネルは、ダイナミックな度数領域７０１から水平に延在するために図７に示されるが、そう制限されるものではない。すなわち、チャネル７０６は、ダイナミックな度数領域７０１からいかなる方向又はいかなる角度（例えば、それは、ダイナミックな度数領域７０１から間隔をおいて配置されるわずかな角度で傾斜できる）に延在できる。チャネル７０６は、それが可撓性要素と第１レンズ部品の第１表面との間に適用されないときに、流体を保持する一つ以上の貯蔵部につながることができる。
【００８６】
ダイナミックな度数領域７０１及び周囲の濠７０５は、いかなるサイズ又は形状でもありえる。一般に、ダイナミックな度数領域７０１及び周囲の濠７０５のサイズがいかなるフレーム・スタイル又は形状の寸法の範囲内でも適合するサイズでありえることが好ましい。例えば、ほぼ４８ｍｍの垂直高さを有するレンズ・フレームのために、ダイナミックな度数領域７０１及び周囲の濠７０５の直径は、４３ｍｍと４４ｍｍとの間にある直径を有することができる。例えば、ほぼ２６ｍｍの垂直高さを有するレンズ・フレーム、ダイナミックな度数領域７０１の直径及び周囲の濠７０５は、２１ｍｍと２２ｍｍとの間にある直径を有することができる。
【００８７】
図８に関して、典型的なダイナミックなレンズ２００は、側面図に示されている。可撓性要素の領域８０２と第１レンズ部品の第１表面の部分８０３との間に位置する流体の量に基づいて調整されることができるよりも、レンズ２００に永久に接着されたか又は付着された可撓性要素の領域８０１は、形状を有する可撓性要素の領域８０２から区別される。幾つかの実施形態では、そして図８に示すように、可撓性要素の領域８０２と第１表面の部分８０３との間の流体の量が十分に多いときに、表面８０３の一つの光学特徴物又は複数の光学特徴物はレンズ２００のその領域の光学的度数に寄与することができない（例えば、そのとき、インデックスマッチされる）。可撓性要素の領域８０２と表面８０３との間の領域の流体が除去されるか又は位置がずれるにつれて、可撓性要素の領域８０２は第１表面の部分８０３に近づくことができて、最終的に適合することができる。
【００８８】
図９に関して、典型的なダイナミックなレンズ２００は、示される。図９の典型的なレンズ２００は、回転対称の非球面の加算ゾーン（付加的ゾーン）９０１を有する。露出されたとき（例えば指数がマッチした流体の量が十分に少ないとき）、図９に示されるこの加算ゾーン９０１は、（加算ゾーン９０１が加算度数のいかなる値も有することができるにもかかわらず）２．５０のＤの付加的度数を提供できる。回転対称の非球面の加算ゾーン９０１は、その中心でよりその末端部９０２のより低い光学的度数を有する回転対称の連続光学的度数プロフィールを有することができる。末端部９０２は、光学的度数の不連続性（例えば、それは、図９に示すように０．２５Ｄの光学的不連続性を有することができる）を有していてもよく、有さなくてもよい。幾つかの実施形態では、ダイナミックなレンズ２００の不連続性は、傾斜の又は下落の不連続性でありえる。ダイナミックなレンズ２００の不連続性がいかなる光学的度数値を有する度数の不連続性でもありえることを理解すべきである。幾つかの実施形態では、図９に示されるダイナミックなレンズ２００は、距離及び／又は予定される近い光学的度数を、少なくとも一つには、二焦点表面曲率から成る第１レンズ部品（すなわち基板）の形状に提供できる。すなわち、例えば、第１レンズ面の第１表面と可撓性要素の領域との間の流体が十分に少ないときに、第１レンズ面上の二焦点表面曲率は近い及び遠い光学的度数を提供できる。
【００８９】
図１０に関して、典型的なダイナミックなレンズ２００の正面図が、示される。本実施形態において、可撓性要素の領域が漸進的な加算面に適合するように、これらの構成要素間の流体の量が十分に少ないときに、ダイナミックなレンズ２００は、可撓性要素の領域に適合できる第１レンズ部品の第１表面にある漸進的な加算面に対応する形状を有するダイナミックな度数領域１００１を有するとして示される。幾つかの実施形態では、第１レンズ部品と可撓性要素との間の流体の量が十分に少ないときに、遠位、中間位置、又は近位（例えば、ダイナミックなレンズ２００のユーザーのための）の光学的度数は、第１表面の漸進的な曲線によって、作られる。
【００９０】
図１０の説明を続けると、図７と同様に、結合線１００２は、レンズ２００に付着している可撓性要素の領域（結合線１００２外側）と、レンズ２００に付着していない可撓性要素の領域１００１（それは、結合線１００２の内側にある）との間の分離を示す。図１０に示されている典型的なレンズ２００は、最高がレンズ２００の全付加的光学度数ことを提供するために、内部漸進的な表面（それは、例えば、第１レンズ部品の適切な位置１００３以下で、第１表面に位置されることができる）を使用できる。幾つかの実施形態では、内部漸進的な表面は、内部漸進的な表面が総付加的レンズ度数の第１部品を提供するように、レンズ（例えば、レンズの第２表面（例えば背面）に置かれる漸進的な付加的領域）の他の光学構成要素と光学的に連結されていることができる。すなわち、幾つかの実施形態において、漸進的な表面（それは、例えば、第１レンズ部品（例えば図１の表面１１）の第１表面に位置してもよい）は、それが「完全な」光学加算度数又は「部分的な」光学加算度数を提供するようなものでありえる。第１表面が部分的な光学加算度数を提供する幾つかの実施形態において、他の漸進的な表面は、着用者のために正の最大の加算度数を提供するために、加算度数の組合せを考慮する（図１にて図示したように、着用者の目に最も近い表面である表面１２のような）他の表面上にフリーフォーミングされるか又は提供されてもよい。
【００９１】
幾つかの実施形態では、複合要素が所望の光学的度数を特定の視野ゾーン（例えば、中間であるか近い視野ゾーン）に提供するように、ダイナミックなレンズ２００のダイナミックな度数領域１００１は一つ以上の光学素子と光学的に連結されていることができる。一つ以上の光学素子は、一部のダイナミックなレンズ２００（例えば、第１レンズ部品の第２表面の一部）から成ることができるか、又は別々の光学素子でもよい。
【００９２】
幾つかの実施形態では、例え漸進的な付加的領域（加算領域）は第１レンズ部品の第１表面に位置されるとしても、漸進的な付加的領域は、第１凸状表面曲率に厚みを付与しない回転非対称の表面である、漸進的な加算面曲率が第１レンズ部品（例えば図１−３の第１表面１１）の第１表面に位置される、及び光学特徴物が漸進的な加算面領域及び／又は曲率のそれである幾つかの実施形態では、濠又は溝１００４は、漸進的な加算面曲率が最大光学加算度数に寄与する位置のそれの下にあるダイナミックな光学領域１００１の一部に沿って位置してもよい。幾つかの実施形態（図１０に図示されていない）では、濠又は溝１００４は、漸進的な加算面がその最大光学加算度数に寄与するその位置の「完全」下に位置するが、他の実施形態（図１０にも図示されていない）では、濠又は溝１００４は、漸進的な加算面がその最大光学加算度数に寄与するその位置の「大部分」下に位置する。「大部分」によって、これは、濠又は溝の大部分の長さが漸進的な加算面がその最大光学加算度数に寄与する位置の下にあってもよいことを意味する。幾つかの実施形態では、漸進的な加算面がその最大光学的な加算度数に寄与する位置は、レンズの全加算度数に対応することもできる。
【００９３】
図１１に関して、典型的なダイナミックなレンズ２００の４つの実施形態は、広範囲にわたるレンズ及びフレーム・スタイルに適応するために、様々な形状及びサイズで示されている。すなわち、幾つかの実施形態では、ダイナミックなレンズ２００が、眼鏡又は眼鏡と共に挿入され、または使用できる。幾つかの実施形態では、ダイナミックなレンズが、他の応用、例えば画像化機構（カメラ）、レーザーを利用及び／又は焦束するいかなるシステム、及び／又はレンズを利用する他のいかなる光学システムにおいて、用いられることが可能であるダイナミックなレンズ２００は、いかなる所望の形状又はサイズを有するために作られることが可能である。図１１に示される実施形態は、患者の右眼のための眼鏡用のレンズでありえる。当業者は、レンズを形づくるためのいかなる周知の手段も用いられることが可能であると理解する。ダイナミックなレンズ２００の全体の形状に関係なく、ダイナミックな度数領域１１０１の各々は同じ光学特徴物を有することができる。
【００９４】
図１２に関して、典型的なダイナミックなレンズ２００の実施形態は、典型的な眼鏡フレーム１２００の範囲内で配置されて示される。図１２に示すように、ダイナミックなレンズ２００のチャネル１２０１は、眼鏡フレーム１２００のテンプルにおいて、又は、それの近くで配置されるアクチュエータ１２０２及び貯蔵部１２０３に連結する。アクチュエータ１２０２は、ダイナミックなレンズ２００により提供される光学的度数を動的に変えるために、貯蔵部１２０３との間でダイナミックなレンズ２００の流体をポンプ輸送するために、チャネル１２０１を使用できる。当業者は、様々なアクチュエータがダイナミックなレンズ２００の流体を移動させる又は置換することを補助するために用いることができると認める。例えば、幾つかの実施形態において、ダイナミックなレンズ２００は、機械アクチュエータ、電子アクチュエータ、燃料電池アクチュエータ又は手動アクチュエータを使用できる。アクチュエータは、機械的（例えば、スプリングを装備する）、手動的にで、電気的に、又は電気機械的に動作する、又はダイナミックなレンズ２００の流体の配置を移動するように調整される、シリンジ、プランジャ、ポンプでありえる。幾つかの実施形態では、ダイナミックなレンズ２００は、複数のアクチュエータ１２０２及び／又は複数の貯蔵部１２０３を有することができる、又はそれらに接続していることができる。ダイナミックなレンズ２００の流体の中で流れることを可能にするために、一つ以上のアクチュエータ１２０２、一つ以上の貯蔵部１２０３、一つ以上のダイナミックな度数領域１２０４（すなわち、流体が各構成要素に流入して、流出することを許す領域）との間に気密封止が形成されることができる。眼鏡又は片眼鏡の面において例示されるにもかかわらず、アクチュエータ１２０２及び貯蔵部１２０３のいかなる構成も、ダイナミックなレンズ２００が用いられているアプリケーションに基づいて使うことができることが理解されるべきである。
【００９５】
図１２に記載されている実施例は、患者の右目において使用するレンズであることができる。上述のように、ダイナミックなレンズ２００は、一以上の貯蔵部1203を用いることができる。更に、眼鏡又はフレームのダイナミックなレンズ２００を使用する実施形態は、限られていないが、図１２に示される位置に一つ以上の貯蔵部１２０３を有する。例えば、一つ以上の貯蔵部１２０３は、ダイナミックなレンズ２００を収納しているフレームの鼻橋の中に配置されることができる。更に、幾つかの実施形態で、ダイナミックなレンズ２００は、レンズ２００に関して様々な位置に置かれる複数の貯蔵部１２０３を使用できる。例えば、第１貯蔵部はテンプルに置かれることができる。そして、第２貯蔵部は鼻橋にあることができる。アクチュエータ１２０２、及び貯蔵部1203は適切な位置に用いられることができる。
【００９６】
図１３には、レンズ１００の一実施形態が示されている。この具体例の典型的なレンズ１００は、第１レンズ部品１０の第１表面１１（前面として示されている）の光学特徴物１４を有するように示されている。幾つかの実施形態では、光学特徴物１４は、恒常的な光学的度数領域（流体２０の十分に少ない量が可撓性要素５の領域と第１表面１１との間にあるように、流体２０によってもはや覆われないときに）であることができ、残りの第１表面１１と異なる球状であるか非球面の湾曲を有することができる。従って、幾つかの実施形態において、流体２０の十分に少ない量が可撓性要素５の領域と第１表面１１との間にあるように、第１表面１１が流体２０によってもはや覆われないときに、レンズ１００はマルチフォーカルレンズでありえる。
【００９７】
図１３に示すように、典型的なレンズ１００は第１状態にある。それによって、十分に大量の流体２０が第１表面１１と可撓性要素５の領域との間にある。その結果、光学特徴物１４はダイナミックな光学領域の光学的度数に関与しない。平行してレンズ１００に入射する光線１０１は、実質的に平行してレンズから現れるように示されている。上記の通りに、実施形態によってはこの第１ステージでさえ、レンズ１００は、若干の光学的度数を有することができる。
【００９８】
図１４に関して、図１３に示されるレンズ１００の例示的実施形態は、第２状態に例示されている。それによって、光学特徴物１４を可撓性要素５の領域からもはや切り離さないように流体２０の量は十分に少ない。このように、可撓性要素５の領域は、ダイナミックな光学的度数領域１４０１において、第１レンズ部品１０の第１表面１１にある光学特徴物１４の形状に適合している。本実施形態において示すように、レンズ１００は、レンズ１００の上部により提供される光学的度数と異なるレンズ１００の下部の光学的度数を提供できる。図１４において、これは、ダイナミックな光学度数領域１４０１内のレンズを入射して、光学特徴物１４によって、定められるか又は貢献されるような光学的度数に従って屈折する光線１４０２により示されている。対照的に、異なる領域中のレンズ１００に入射する光線１４０３は屈折しない。
【００９９】
可撓性要素５が可撓性でもよいが、それが伸縮性有する点に留意する必要がある。すなわち、幾つかの実施形態において、可撓性要素５は可撓性であるだけである。そして、幾つかの実施形態で、可撓性要素５は伸縮可能であり、且つ可撓性でありえる。可撓性要素５が引っ張られて及び／又は表面１１及び／又は光学特徴物１４の形状に適合するように撓曲するときに、可撓性要素５がリリースされて及び／又は第１表面１１にもはや適合しないときに、広げることは流体２０がレンズ１００の室（すなわち第１表面１１と可撓性要素５との間の隙間）を充填するのを助けることができる。
【０１００】
図１５に関して、典型的ダイナミックなレンズ３００の他の実施形態を示している。図１５（ａ）及び図１５（ｂ）は、第１状態にある典型的なレンズ３００を例示し（図１５（ａ））、第２状態にある典型的なレンズ３００を例示する（図１５（ｂ））。すなわち、図１５（ａ）は、光学特徴物３７０がレンズ３００（流体３３０の屈折率が第１レンズ部品３１０及び第３レンズ部品３２０と実質的に同様である実施形態のために）の光学的度数に関与しないように、流体３３０の十分に大きな量が第１レンズ部品３１０及び第３レンズ部品３２０のための第１表面３６０の間にあるときのレンズ３００を示す。図示の実施形態において、可撓性膜よりもむしろ、流体３３０が室から実質的に除去されるときに、最初レンズ部品３１０と第３レンズ部品３２０との間の領域に詰めるために、レンズ３００は多孔質プラグ３５０を使用できる。また、チャネル３４０は、流体３３０を除去するか、又は置換するために提供される。この実施形態では、第３レンズ部品３２０は、カバーレンズを備えることができる。図示するように、この例示的実施形態において、平行してレンズ３００に入射する光線１５０１は、実質的に平行してレンズ３００から出て来る。
【０１０１】
対照的に、図１５（ｂ）は第２状態の典型的なレンズ３００を示す。それによって、流体３３０は第１レンズ部品３１０と第３レンズ部品３２との間に領域から実質的に除去された。空気は、（それは、多孔質プラグ３５０を介して入射することができた）この領域を充填し、空気及び第１レンズ部品３１０及び／又は第３レンズ部品３２０の屈折率の違いは、第１表面３６０に光学特徴物３７０の特徴とともに、陽の光学的度数をつくることができる。これは、ダイナミックな光学領域においてレンズ３００に入射して、光学的度数によって屈折している光線１５０２で例示される。本実施形態において、流体３３０が第１レンズ部品３１０と第３レンズ部品３２０との間にポンプされるか又は塗布されるときに、光学的度数は除去される（帰りの流体３３０によって移動された空気は、多孔質プラグ３５０を通過する）。
【０１０２】
図１６は、典型的なレンズ３００の実施形態のもう一方の横断面の分解図を示している。本実施形態において、レンズ３００は、基板３１０（例えば第１レンズ部品）、外側の剛性蓋３２０（例えば第３レンズ部品），（インデックスマッチされることができる）流体３３０及び可撓性要素３５０（例えば膜）を備える。流体口３４０（例えばチャネル）は、中に流体３３０をポンプし、且つ流体３３０を吸い出す（又は移動させる他のいかなる手段）ことを可能にする。第１レンズ部品３００は、厚みＴｌ、内部の曲率半径Ｒｌ、外側の曲率半径Ｒ２及び中央外側の曲率半径Ｒ３を有する。Ｒ２の値がＲｌにＴｌを合わせた値に等しいときに、実質的にゼロ光学的度数は第１レンズ部品３００に存在する。Ｒｌの曲率半径が曲率半径Ｒ２と関連してより浅くされるにつれて、より大きな陽の光学的度数が第１レンズ部品３００に加えられる。同様に、曲率半径Ｒ２が曲率半径Ｒｌよりより急にされるときに、より大きな光学的度数は第１レンズ部品３００に加えられる。曲率半径Ｒｌよりより急なときに、曲率半径Ｒ３は曲率半径Ｒ３（例えばこの実施形態において、ダイナミックな光学的度数領域）の領域において、）における第１レンズ部品３００に陽の光学的度数を加える。図１６に示されているように、これらの構成要素の便利及びより明白な視聴のための図示するための用途にだけ、流体３３０、可撓性要素３５０及び第３レンズ部品３２０は、第１レンズ部品３００から間隔をおいて配置される距離を配置した。本実施形態において、これらの構成要素は、図１７に示すようにまとめられる。
【０１０３】
図１７に関して、典型的なレンズ３００は、断面図に示される。可撓性要素３５０は、第３レンズ部品３２０（例えば外側の固定蓋）及び第１レンズ部品３００（例えば基板）の間に（すなわち、挟まれて）位置して、第３レンズ部品３２０に対して可撓性要素３５０を押圧している（それは、インデックスマッチされる）流体３３０を有する。第３レンズ部品３２０の内側曲率半径は、所望の光学的特殊効果に適合して、且つ該所望の光学的特殊効果を提供する可撓性要素３５０の領域のために必要とされる形状を提供できる。すなわち、第３レンズ部品３２０は、光学的度数ストップとして提供できる。
【０１０４】
図１７に図示される実施形態において、流体３３０がインデックスマッチされるときに実質的なゼロ光学的度数はこのアセンブリの中に存在し、内側曲率半径の湾曲（すなわち第１表面）及び第３レンズ部品３２０の外側の曲率半径の湾曲（すなわち第２表面）が、第１レンズ部品３１０の第２表面３８０の湾曲にマッチする。幾つかの実施形態では、第３レンズ部品３２０により作成される光学的度数ストップは、ビューアの遠見視力のための光学的度数を定めることができる。すなわち、第１レンズ部品３１０の第１表面と同様に、第３レンズ部品３２０の第１表面は、いかなる光学特徴物からも成ることができる。このように図１７にて図示したように、レンズ３００が第１状態にあるとき、レンズ３００は、ビューアによるいかなる処方の必要性のために、矯正光学出力を提供できる。矯正光学出力は、部分的に、第３レンズ部品３２０の第１表面の湾曲に基づくことができる。さらに、第３レンズ部品の外面（例えば第２表面）は、レンズ３００（又はその領域）の光学的度数に関与できるいかなる光学特徴物及び／又はいかなる湾曲から成ることもできる。
【０１０５】
第３レンズ部品を備える実施形態は、流体３３０によって、望ましくない形状に可撓性要素３５０の余分の加圧を防止することもできる。第３レンズ部品３２０は可撓性要素３５０の上に保護層を更に形成できる。そして、それは外部の力から可撓性要素３５０に対して損傷を妨げることができる。可撓性要素３５０を交換しなければならないよりはむしろ第３レンズ部品３２０を交換することはより容易でもよい。このことにより維持費を減少させる。
【０１０６】
図１８に関して、図１７に示される典型的なレンズ３００は、第２状態において例示される。それによって、流体３３０は、チャネル（例えばポート）３４０を介してアセンブリを除去されるか又は位置がずれる（例えば、吸い出される）。可撓性要素３５０の領域は、第１レンズ部品３１０の外側の形状に対して押圧されて及び／又は該第１レンズ部品３１０の外側の形状に適合する。空気又は流体によって、アクセスポート（図示せず）を介して可撓性要素３５０と第３レンズ部品３２０との隙間を充填できる。本実施形態において示されているように、正の光学的度数が、曲率半径Ｒ３により定義される領域において、第１レンズ部品３１０（ダイナミックな光学的度数領域）の中心部分において作成できる。幾つかの実施形態では、第３レンズ部品３２０及び第１又は第２表面（いずれの表面の湾曲も含む）のいかなる光学特徴物も、レンズ１００の光学的度数に寄与することもできる。
【０１０７】
幾つかの実施形態において、「外へ吸い込む」よりはむしろ、チャネル３４０を介したインデックスがマッチした流体、空気又は非インデックスがマッチした流体が可撓性要素３５０と第３レンズ部品３２０との間に示される隙間に圧入されることができ、流体３３０を可撓性要素３５０と第１レンズ部品３１０との間の隙間から噴出し、チャネル３４０（すなわち、吸き引くこと）の左側上の負圧よりはむしろ、チャネル３４０（すなわち、ポンプすること）の右側上の正圧によって、チャネル３４０を介してそれを進行させる。これは、下の図２１に関して更に詳細に述べられる。
【０１０８】
図１９に関して、典型的なレンズ３００の実施形態が、示されている。図１９に示すように本実施形態において、可撓性要素３５０は、保護蓋又は他の第３レンズ部品のない最も外部の光学素子である。図の実施形態では、流体３３０（それは、マッチされるインデックスでもよい）は、光学的度数がアセンブリの中に存在しないように球面形状に可撓性要素３５０を膨らませる。すなわち、可撓性要素３５０の外側の湾曲は、第１レンズ部品３１０の第２表面（例えば、示されているようなバック表面）の湾曲にマッチする。流体３３０は可撓性要素３５０と第１レンズ部品３１０との間の隙間から取り除かれ、可撓性要素３５０の湾曲の様子は、変化し始めることができ、レンズ３００のダイナミックな光学的度数領域の光学的度数を変える（例えば、レンズ３００の光学的度数を第１レンズ部品３１０の第１表面により提供される光学的度数の方へ調整している）。このチューニングは流体３３０の実質的に全てが隙間から取り除かれるまで続くことができる。そして、可撓性要素３５０（又はその領域）はこのことにより第１レンズ部品３１０（それは、このことにより光学的度数ストップとして提供する）の第１表面に適合する。
【０１０９】
図２０に関して、図１９に示される典型的なレンズ３００は、第２状態に例示される。すなわち、流体３３０がチャネル（すなわちポート）３４０によって、吸い出された（又は取り除かれるか又は位置がずれる）あと、図２０は第１レンズ部品３１０の形状に適合している可撓性要素３５０を示す。この状態で、陽光学的度数は、より急な曲率半径が存在する中央ゾーン（すなわちダイナミックな光学的度数領域）において、つくられた。幾つかの実施形態において、可撓性要素３５０は、流体３３０が除去されるか又は位置がずれるときに、第１レンズ部品３１０の形状に適合することを可能にするように十分に可撓性である半硬式の材料でもよく、又は流体３３０が第１レンズ部品３１０と可撓性要素３５０との間の隙間に戻されるときに、流体３３０が正圧を有する形状に、それを膨らませることを必要とせずに、その第１球面形状に戻るのに十分弾力的である。幾つかの実施形態では、可撓性要素３５０が流体３３０によって、過度に加圧される場合、負の光学的度数は可撓性要素３５０が通常の半径を越えて膨らませる領域において、つくられることが可能である。すなわち、可撓性要素３５０がすっかり加圧される場合、その外面の曲率半径が減らされるように、この領域はレンズ３００の光学的度数に影響を及ぼすことができる。本実施形態において、典型的なレンズ３００は第１レンズ部品３１０が、ゼロ光学的度数を有するとして記載されてきたが、一定の陽であるか負の光学的度数を第１レンズ部品３１０に組み込むことが望ましくてもよい。一定の陽であるか負の光学的度数は、湾曲の内と外との半径の比率を変化させることによって、完成していることができる。このような実施形態では、図１９に図示される第１状態でさえ、レンズ３００は、このことにより若干の光学的度数を有する。
【０１１０】
上記のように、可撓性要素は、実施形態によっては、例えば、二軸配向されたポリエチレンテレフタラート（商品名マイラーの下で利用できる）、又はウレタンから成ることができる。しかしながら、可撓性要素として使うことができる適当な透明度、耐久性及び屈折率を有する多くの他の材料がある。
【０１１１】
図２１に関して、ダイナミックなレンズ３００の実施形態は、空気がインデックスマッチされた流体３３０によって、一回ふさがっている空間に充填することを可能にするよりむしろ、その代わりに、異なる屈折率を有する第２光学流体３７０は、空腔（例えば、中へポンプする）に適用されることができることが示されている。第２光学流体３７０（すなわち、第２光学流体は、第１レンズ部品の屈折率に合致しない屈折率を有することができる）の屈折率を変化させることによって、レンズ装置の光学的度数は、変化できる。これによって、異なる光学度数を有するレンズの各々については、同じレンズ部品が異なるレンズにおいて用いられることが可能である。すなわち、（例えば、同じ第１レンズ部品、第２レンズ部品、その他を有する）同じレンズの光学的度数は、第２光学流体のための異なる屈折率を選択することによって、「プログラム」されることができる。
【０１１２】
幾つかの実施形態では、可撓性要素３５０が、用いられることもできる。可撓性要素３５０は、汚染及び泡を流体の中に入れないために用いることができて、更に２つの光学流体を別々に保つのに提供できる。幾つかの実施形態では、可撓性要素３５０は、レンズの光学度数をつくらない。しかし、それは、（その上に位置できるいかなる光学特徴物と共に）第１表面３６０の形状であり、光学的度数をつくる第１表面３６０（又はその欠如）で、第１レンズ部品と第２光学流体との屈折率の違いに連結される。従って、それは、流体の屈折率により制御されることができる。幾つかの実施形態では、可撓性要素３５０は、レンズ３００の光学的度数に関与できる第２光学流体より異なる屈折率を有することもできる。幾つかの実施形態では、第２光学流体３７０は、可撓性要素３５０と第３レンズ部品３２０との間の隙間につけられることが可能である。
【０１１３】
動作において、幾つかの実施形態で、レンズ３００は、第１状態においてあってもよく、それによって、第１光学流体３３０が実質的に第１レンズ面３１０と可撓性要素３５０（又はその領域）との間の隙間に詰める。幾つかの実施形態では、流体３３０は、しかしながら、上記の通りで、第１レンズ部品と合うインデックスでもよい。そして、それは制限されなくて、いかなる屈折率も有することができる。この第１状態において、幾つかの実施形態で、可撓性要素３５０と第３レンズ部品３２０との間の第２光学流体３７０の量は、十分に低くてもよい。幾つかの実施形態では、この典型的な第１状態で、可撓性要素３５０又はその領域は第３レンズ部品３２０（例えば図２１で示す第３レンズ部品３２０の内側曲率半径の湾曲）の第１表面に適合することができる。そして、それは所望の光学的度数（例えば遠見視力矯正のための光学的度数）をレンズ３００に提供できる。
【０１１４】
遷移状態において、第１光学流体３３０（又はその量）は、第１レンズ面３１０と可撓性要素３５０との間に領域から移されることができる。第２光学流体３７０は、可撓性要素３５０と第３レンズ部品３２０との間に領域に塗られることが可能である。幾つかの実施形態では、第１光学流体３３０は、第２光学流体３７０が塗布されるのとほぼ同じ時刻に位置がずれることができるか、又は除去される。幾つかの実施形態では、第２光学流体３７０の塗布（適用）は、第１光学流体３７０の転位を強制するか又は貢献する。すなわち、幾つかの実施形態で、第２光学流体の塗布は圧力を可撓性膜３５０に印加できる。そして、それは可撓性要素３５０と第１表面３６０との間の領域から第１光学流体３３０を次々に移すことができる。
【０１１５】
幾つかの実施形態では、遷移ステージで、レンズ３００は、第１レンズ部品３１０と可撓性要素３５０との間の第１光学流体３３０の十分に大きな量及び可撓性要素３５０と第３レンズ部品３２０との間の第２光学流体３７０の十分に大きな量を備えることができる。幾つかの実施形態では、遷移ステージは、所望の光学的度数を着用者の視野矯正に提供できる。さらに、上記のように、実施形態によっては、遷移ステージは第１光学的度数と第２光学的度数との間にレンズを調整する能力を備えることができる。そして、それはそれぞれ第１レンズ部品３１０及び第３レンズ部品３２０によって、提供されることができる。好ましくは、第２光学流体３７０は、最初に第１光学流体３３０の屈折率とは異なる屈折率を有することができる。幾つかの実施形態において、可撓性要素３５０は、第２流体３７０の屈折率と異なる屈折率を有することができる。幾つかの実施形態では、第２光学流体３７０は、第１レンズ部品の屈折率と実質的に同様で及び／又は第３レンズ部品３２０と同様である屈折率を有することができる。当業者により理解されるように、各種要素の屈折率及びレンズ３００の流体を変化させることによって、部分的にはインタフェースでの光波の屈折に基づいて異なる光学的度数は成し遂げられることが可能である。
【０１１６】
第２であるか最終的な状態において、可撓性要素３５０と第３レンズ部品３２０との間の第２光学流体３７０の量が十分に多い間に、第１レンズ部品３１０と可撓性要素３５０との間の流体の量は、十分に低くてもよい。幾つかの実施形態では、可撓性要素３５０の領域は、第１レンズ部品３１０の一部の第１表面３６０に適合できる。幾つかの実施形態において、第２光学流体３７０の屈折率が第１レンズ部品３１０の屈折率と実質的に同様であるとき、第１レンズ部品３１０の第１表面３６０に提供されるいかなる光学特徴物もマスキングされることができるか又は隠されることができる（すなわち、第１表面３６０は、ダイナミックな光学度数領域のレンズ３００の光学的度数に寄与することができない）。幾つかの実施形態では、第２光学流体３７０が第３レンズ部品３１０と実質的に同様である屈折率を有するとき、第３レンズ部品３２０の第１表面のいかなる光学特徴物もマスキングされることができるか又は隠されることができる（すなわち、第３レンズ部品３２０の第１表面は、ダイナミックな光学的度数領域のレンズの光学的度数に寄与することができない）。
【０１１７】
幾つかの実施形態が記載されるおり、単一又は複数の特定の光学特徴物を有する２つの光学ストップ（例えば図１６〜２１）を備えるとして例示されているが、上述したようにそれは説明の便宜のためだけであった。第１レンズ部品の（例えば、光学的度数ストップ、例えば実施形態に記載されている表面３６０を定める表面）第１表面のすべての表面デザインは、第３レンズ部品（例えば図１６―２１で示すカバーレンズ又は一番上の蓋３２０）を備える実施形態にいかなる所望の光学的度数を提供するために利用できることが理解すべきである。同様に、いかなる所望の光学的度数を印加するか、又はダイナミックなレンズ３００の光学的度数に寄与するために、すべての表面デザインが、ダイナミックなレンズ３００（例えば第３レンズ部品３２０の内側湾曲の表面）の他の表面のいずれかに使うことができる。
【０１１８】
上記のように、図１〜図２１に図示されており、本願明細書において、記載されている実施形態は、説明の便宜上のためだけあって、制限するためのものではない。例えば、図１〜図２１の実施形態のいずれかがダイナミックな光学領域に部分的な陽の加算度数だけを加えることができることを理解すべきである。幾つかの実施形態において、部分的な加算度数の漸進的面は、すなわち可撓性膜に隣接してでない表面の上にフリーフォーミングされていることができる（例えば図１〜図３及び図１３〜図１４に示されている第２表面１２、図１５〜図２１に示されている表面３８０又は適切な他のレンズ部品、又はダイナミックなレンズの表面）、それは、ビューアの目に最も近いレンズ部品の表面を備えることができる。幾つかの実施形態では、加算度数の組合せによって、着用者のため完全な陽の加算度数を提供することが可能となる。
【０１１９】
参照は、説明の便宜上だけ、図ｌにおいて説明したような要素ができているが、述べられる原理は、他の実施形態に等しく適用できてもよい。本発明の実施形態は、特定の処方を有するカスタマイズされたレンズのそれへの流体を備える。レンズ素材（a lens blank）に対してフリーフォーミングを行い、デジタル表面処理を行い、従来の表面処理を行い及びポリッシングをすることによって、ダイナミックなレンズの処理を考慮に入れることができる。特定の処方は、発明のレンズの特定の寛容な着用者のために、目ケア提供者によって、処方されるか又は測定される。再び、図１（説明の便宜上）に記載されている要素に関して、ダイナミックなレンズの実施形態は、第１レンズ部品（例えば第１レンズ部品１０）が可撓性要素５のそれとして、レンズ素材の同じ側上の第１表面１１の所望の完結した曲線を有する半仕上げのレンズ素材のそれであることができ、そして、第２表面（例えば、示されている裏面）１２上の非完結した表面曲線を有する。説明の便宜上所望の完結した曲線が凸形側に示されており、非完結した表面曲線は、第１レンズ部品１０の第２表面１２に示されているが、実施形態は完結した曲線が可撓性要素５に沿って第２表面１２上に位置するように逆転することができ、非完結した曲線は、第１表面１１にあることができる（例えば前面である）。
【０１２０】
幾つかの実施形態では、可撓性要素５は、光学特徴物１４を覆う領域を除いては、レンズ部品１０の完結した表面に、粘着して接合されてもよい（それは両方の表面に終わる場合は、レンズ素材と呼ばれることができ、又は、１つの表面だけが終わり、且つ対向する表面が未完成である場合は、半仕上げのレンズ素材と呼ばれることができる）。幾つかの実施形態では、半仕上げのレンズ素材は、慣例ブロッキングとしてブロックされることができる。そして、可撓性膜５がリラックスした非共形状態にある時（例えば、図１に記載されている第１状態である）、更に、可撓性膜５（又はその領域）が非リラックスした共形状態にあるときに（例えば、図３に記載されている第２状態である）、ダイナミックなレンズに意図された処方を与えるように、非仕上げ表面が、フリーフォーミングされて、デジタル表面処理され、又は表面処理された後に適当に磨きをかけることができる。このように、ダイナミックなレンズの実施形態は、例えば、矯正を近見視力及び遠見視力のためのビューアに提供できる。さらに、第１レンズ部品の光学的度数ストップ及び第３レンズ部品（図１７及び１８に関して記載されているように）の第２光学的度数ストップを利用することによって、矯正光学的度数は、流体レンズにおいて、直ちに、且つ正確に戻られることが可能である。
【０１２１】
可撓性要素５が非リラックスした共形状態にあるときに、実施形態は、たとえば、１５インチ〜２０インチ、より好ましくは１６インチ〜１８インチで、近見視力のための焦点にダイナミックなレンズの多焦点力を考慮に入れることができる。上述したように、共形状態（conformal state）は、可撓性要素５（又は、その領域）が第１表面の形状に大体適合することを意味し、それは光学特徴物１４（例えば、図１３及び１４に示されている）を含む。幾つかの実施形態において、可撓性要素５がリラックスしているとき、それは、ダイナミックなレンズの着用者のために、光学無限（例えば着用者からの２０フィート以上）で遠見視力の矯正度数を提供できる。流体２０がインデックスマッチされているインデックスであるとき、膜が弛緩して共形状態にないときに、光学特徴物１４を隠すか又はマスキングする。
【０１２２】
また、幾つかの実施形態において、（図１３及び１４に示されているように）第１表面１１及び光学特徴物１４の設計によって、可撓性要素５（又はその領域）が共形非リラックスした状態にあるときに、近見視力距離（すなわち、１５インチ〜２０インチ離れたところの対象物）と、更なる中間視力距離（例えば約２０〜５フィート）にある対象物との両方がすべて焦点が合っていることができる。幾つかの実施形態では、すべての距離（光学無限の近見視力距離、中間視力距離及び遠い遠見視力）にある対象物の全ては、矯正されてもよくて、同時に、しかし、発明のレンズの異なる領域又はゾーンにおいて、焦点が合っていてもよい。これは、第１レンズ部品のレンズ１１の第１表面の異なる位置で複数の光学特徴物１４を利用することを備える。
【０１２３】
幾つかの実施形態では、ダイナミックなレンズがリラックスした／非共形状態にあるときに、ダイナミックなレンズは距離及び／又は着用者の中間視力を矯正するために必要とされる光学的度数を印加できる。これは、例えば、可撓性要素５を備えている表面の反対側のレンズの表面にフリーフォーミングされるか又はデジタル的に表面をつけられた部分加算度数の漸進的加算面（a partial add power progressive addition surface）を利用することによって、達成されることができる（例えば、第１レンズ部品１０のバック表面又は第２表面１２及び／又は第３レンズ部品の表面）。用語「加算度数の漸進的加算面」は、明らかに近距離で見えるために着用者の必要な最大限の加算度数を提供しないプログレッシブ加算面である。幾つかの実施形態において、第１レンズ部品１０の外面曲率（例えば第２表面１２）は、可撓性要素５（又はその領域）がリラックスした／非共形状態にあるときに、距離及び／又は中間視力矯正を考慮に入れるために作られることができ、非リラックスした／共形状態にあるときに、近見視力の矯正を考慮に入れるために作られることが可能である。近距離、中間距離、及び遠距離の矯正のいかなる組合せも、第１、第２及び／又は、第３レンズ部品の表面の光学特性物又はダイナミックなレンズの他の光学特徴物を形づくること等、本願明細書において述べる原理に基づいて、共形及び非共形状態のいずれかにおいて成し遂げられることが可能であることが、当業者によって、よく理解されていなければならない。
【０１２４】
実施形態は、患者の視野矯正のために必要とされるすべての光学処方（球体、シリンダー、プリズム、その他の製作を含むこと）の構成を考慮に入れる。当業者は、これが球状度数のニーズ、ある軸に対する乱視の矯正、又は患者／着用者のための両方の組合せを提供することが容易にわかる。また、例えば図１１に示されているように、ダイナミックなレンズは押し進められることができて、ほとんどのいかなるサイズ及び／又は眼鏡フレームにも取り付けられることができる。幾つかの実施形態では、流体２０の屈折率が第１レンズ部品１０の屈折率に合致する限り、第１レンズ部品１０はいかなる材料でもできていることがありえる。例えば、屈折のインデックスは、実質的に同じこと（例えば０．０５のユニットの範囲内で）でもよい。実施形態は、このことによりダイナミックなレンズのための材料の独立を考慮に入れることができ、したがって、ダイナミックなレンズのファミリの製作を考慮に入れる。各々は、所与の処方のために、違い厚及び／又は、光学特性物を有する。すなわち、例えば、ダイナミックなレンズは、例えば、以下を備えることができる：ＣＲ３９（インデックス１．４９）、ポリカーボネート（インデックス１．６０）、ＭＲ２０（インデックス１．６０）、ＭＲ１０（インデックス１．６７）及び／又は三井（インデックス１．７４）。光学産業で知られているように、これらの材料の各々は、特定の効果、更には不利な点を表し、したがって、眼ケア提供者が本発明に係るレンズに関する患者又は着用者に、これらがより好む材料の組み合わせを処方することができて及び／又は勧めることができる。実施形態において、ダイナミックなレンズに着色するときに、カバーは可撓性膜５を備える表面のそれに加えられることが可能である。幾つかの実施形態において、カバー３２０（例えば図１６にて図示したように、第３レンズ部品）は、厚く被覆されて、着色されることができる。幾つかの実施形態において、カバー３２０は存在しない。一時的なカバーは、加えられることが可能である。染料が可撓性要素５のそれに浸透することを防止する。染料（tint）は、それからダイナミックなレンズの第２表面及び／又は可撓性要素５の反対側の面に対処されることができる。
【０１２５】
上記のように、具体例として本願明細書において提供される屈折光学力、湾曲半径、寸法も及び屈折率の各々は、実施形態だけであり、制限することを目的としない。本願明細書において開示される実施形態は、近見視力、中間視力、遠見視力のすべての矯正機構光学的度数と、着用者の光学ニーズのために必要とされるか又は要求とされる加算光学度数を提供する。これは、例えば、第１表面（例えば正面）、第２表面（例えば後部）、含まれた光学特徴物の外面の湾曲、適当な厚み、及び第１レンズ部品のために必要とされる屈折率とを選択することにより達成されることができる。更に、そして、上記のように、ダイナミックなレンズの実施形態は、レンズ、両面が仕上がったレンズ素材、又はフリーフォーミングされて、デジタル表面処理され、又は表面処理され且つ研磨された半仕上げのレンズ素材でありえる。
【０１２６】
前記説明は、図示して、拘束性でない。本発明の多くの変形例は、開示の再調査に応じて当業者にとって明らかになる。従って、本発明の範囲は、上記の説明に関連して決定されてはならず、特許請求の範囲、該特許請求の範囲の完全な範囲、及び均等物と関連して決定されなければならない。
【０１２７】
いかなる実施形態からの一つ以上の特徴は、本発明の範囲内において他のいかなる実施形態の一つ以上の特徴とも組み合わせられることができる。
【０１２８】
逆の場合に示されない限り、「一つ」又は「その」は「一以上」を意味する。
【符号の説明】
【０１２９】
１００  レンズ
１０  第１レンズ部品
５  第２レンズ部品
２０  流体
１１  第１表面
１２  第２表面
【図１】
2013522696.tif 000003
【図２】
2013522696.tif 000004
【図３】
2013522696.tif 000005
【図４】
2013522696.tif 000006
【図５】
2013522696.tif 000007
【図６】
2013522696.tif 000008
【図７】
2013522696.tif 000009
【図１１】
2013522696.tif 000010
【図１２】
2013522696.tif 000011
【図１３】
2013522696.tif 000012
【図１４】
2013522696.tif 000013
【図１５（ａ）】
2013522696.tif 000014
【図１５（ｂ）】
2013522696.tif 000015
【図１６】
2013522696.tif 000016
【図１７】
2013522696.tif 000017
【図１８】
2013522696.tif 000018
【図１９】
2013522696.tif 000019
【図２０】
2013522696.tif 000020
【図２１】
2013522696.tif 000021
【図８】
2013522696.tif 000022
【図９】
2013522696.tif 000023
【図１０】
2013522696.tif 000024
【国際調査報告】
2013522696.tif 000025
2013522696.tif 000026
2013522696.tif 000027